(57)【要約】  本発明は、通信技術の分野に属し、チャネル状態情報ＣＳＩフィードバック方法及び機器を開示する。方法は、ユーザ機器ＵＥの各トランスポート層ＣＳＩのコードブックを決定するステップであって、前記ＵＥの各トランスポート層における前記ＣＳＩの前記コードブックはＷ＝Ｗ１×Ｗ２であり、Ｗ２の中の要素Ｘｉは、Ｗ１の中の各コードワードに対応する重み係数であり、ｉは１以上且つＫ以下の整数である、ステップと、Ｗ２の中のｉ番目の要素の量子化値により占有されるビットの数Ｎｉを決定するステップであって、Ｗ２の中の少なくとも２つの要素の量子化値は異なる数のビットを占有する、ステップと、Ｎｉに基づき、前記ｉ番目の要素の前記量子化値をネットワーク装置にフィードバックするステップと、を含む。
2020504480.tif 000002
【特許請求の範囲】
【請求項１】
チャネル状態情報ＣＳＩフィードバック方法であって、
ユーザ機器ＵＥの各トランスポート層におけるＣＳＩのコードブックを決定するステップであって、前記ＵＥの各トランスポート層における前記ＣＳＩの前記コードブックは、
Ｗ＝Ｗ１×Ｗ２であり、
Ｗは前記ＵＥの各トランスポート層における前記ＣＳＩの前記コードブックであり、Ｗ１はレベル１コードブックであり、Ｗ１＝［ｂ１  ｂ２  ・・・  ｂＫ］、Ｗ１の中のｂｉはコードワードを表し、ＫはＷ１の列の数であり、Ｋは１以上の正整数であり、Ｗ２はレベル２コードブックであり、Ｗ２はＷ２＝［Ｘ１  Ｘ２  ・・・  ＸＫ］Ｔと表され、Ｗ２の中の要素ＸｉはＷ１の中の各コードワードに対応する重み係数であり、ｉは１以上且つＫ以下の整数である、ステップと、
Ｗ２の中のｉ番目の要素の量子化値により占有されるビットの数Ｎｉを決定するステップであって、Ｗ２の中の少なくとも２つの要素の量子化値は異なる数のビットを占有する、ステップと、
Ｎｉに基づき、前記ｉ番目の要素の前記量子化値をネットワーク装置にフィードバックするステップと、
を含む方法。
【請求項２】
チャネル状態情報ＣＳＩフィードバック方法であって、
ユーザ機器ＵＥの各トランスポート層におけるＣＳＩのコードブックを決定するステップであって、前記ＵＥの各トランスポート層における前記ＣＳＩの前記コードブックは、
Ｗ＝Ｗ１×Ｗ２であり、
Ｗは前記ＵＥの各トランスポート層における前記ＣＳＩの前記コードブックであり、Ｗ１はレベル１コードブックであり、Ｗ１はＷ１＝［ｐ１ｂ１  ｐ２ｂ２  ・・・  ｐＫｂＫ］と表され、ＫはＷ１の列の数であり、Ｋは１以上の正整数であり、Ｗ１の中のｂｉはコードワードを表し、ｐｉは対応するコードワードの振幅重み情報を表し、０≦ｐｉ≦１、ｐ１＝１、Ｗ２はレベル２コードブックであり、Ｗ２はＷ２＝［Ｘ１  Ｘ２  ・・・  ＸＫ］Ｔと表され、Ｗ２の中の要素ＸｉはＷ１の中の各コードワードに対応する重み係数であり、ｉは１以上且つＫ以下の整数である、ステップと、
Ｗ２の中のｉ番目の要素の量子化値により占有されるビットの数Ｎｉを決定するステップであって、Ｗ２の中の少なくとも２つの要素の量子化値は異なる数のビットを占有する、ステップと、
Ｎｉに基づき、前記ｉ番目の要素の前記量子化値をネットワーク装置にフィードバックするステップと、
を含む方法。
【請求項３】
Ｗ２の中のＮ番目の要素に基づき、Ｗ２に対して正規化処理を実行するステップであって、Ｎは１以上且つＫ以下の整数である、ステップ、を更に含み、
Ｗ２の中のｉ番目の要素の量子化値により占有されるビットの数Ｎｉを決定する前記ステップは、
ｉ＝Ｎのとき、Ｎｉ＝０であることを含む、請求項１又は２に記載の方法。
【請求項４】
Ｗ２の中のｉ番目の要素の量子化値により占有されるビットの数Ｎｉを決定する前記ステップは、
ｉ≠Ｎのとき、Ｎｉの値は前記ｉ番目の要素の振幅値に正相関することを含む、請求項３に記載の方法。
【請求項５】
Ｎの値は、前記ＵＥと前記ネットワーク装置との間で予め合意された値である、請求項３又は４に記載の方法。
【請求項６】
Ｎは１又はＫに等しい、請求項４に記載の方法。
【請求項７】
ｉ≠Ｎのとき、
【数２２】
2020504480.tif 000024
ρｉは前記ｉ番目の要素の前記振幅値であり、
【数２３】
2020504480.tif 000025
はｘ未満の最大整数を表し、
ＮｔｏｔａｌはＷ２の中の全ての要素の量子化値により占有されるビットの数である、
請求項３乃至６のいずれか一項に記載の方法。
【請求項８】
ｉ≠Ｎのとき、Ｎｉ＝Ｎｂａｓｅ＋Ｎａｄｄ，ｉであり、
Ｎｂａｓｅは、前記ｉ番目の要素の前記量子化値により占有されるビットの基本数であり、Ｎａｄｄ，ｉは前記ｉ番目の要素の前記量子化値により占有される追加ビット数である、請求項３乃至６のいずれか一項に記載の方法。
【請求項９】
Ｘｉは、複素数であり、振幅及び位相を含み、ｉ≠Ｎのとき、前記方法は、
前記ｉ番目の要素の振幅を量子化するステップ、を更に含み、
前記ｉ番目の要素の振幅を量子化する前記ステップは、前記ｉ番目の要素の差動振幅を量子化するステップであって、前記ｉ番目の要素の前記差動振幅は、前記ｉ番目の要素の前記振幅値ρｉの（ｉ−１）番目の要素の振幅値ρｉ−１に対する比ρｉ／ρｉ−１である、ステップを含む、請求項３乃至８のいずれか一項に記載の方法。
【請求項１０】
ｉ≠Ｎのとき、前記方法は、
前記ｉ番目の要素の前記振幅の量子化値により占有されるビットの数Ｎｉ−ａｍｐ、及び前記ｉ番目の要素の位相の量子化値により占有されるビットの数Ｎｉ−ｐｈａｓｅを別個に決定するステップであって、Ｎｉが閾より小さいとき、Ｎｉ−ｐｈａｓｅ＝Ｎｉであり、又はＮｉが閾以上であるとき、Ｎｉ−ａｍｐ及びＮｉ−ｐｈａｓｅは比に基づき決定され、Ｎｉ−ａｍｐ＋Ｎｉ−ｐｈａｓｅ＝Ｎｉである、ステップ、を更に含む請求項３乃至９のいずれか一項に記載の方法。
【請求項１１】
【数２４】
2020504480.tif 000026
且つＮｉ−ａｍｐ＝Ｎｉ−Ｎｉ−ｐｈａｓｅであり、０＜ω＜１、ωはＮｉ−ｐｈａｓｅのＮｔｏｔａｌに対する比である、請求項１０に記載の方法。
【請求項１２】
Ｗ２の中のＮ番目の要素に基づき、Ｗ２に対して正規化処理を実行するステップであって、Ｎは１以上且つＫ以下の整数である、ステップ、を更に含み、
Ｗ２の中のｉ番目の要素の量子化値により占有されるビットの数Ｎｉを決定する前記ステップは、
ｉ＝１のとき、Ｘ１＝１、且つＮ１＝０であることを含む、請求項１又は２に記載の方法。
【請求項１３】
チャネル状態情報受信方法であって、
ネットワーク装置により、ユーザ機器ＵＥにより送信されたビットシーケンスを受信するステップであって、前記ビットシーケンスは、各トランスポート層における前記ＵＥのＣＳＩのコードブックの量子化値を含み、前記ＵＥの各トランスポート層における前記ＣＳＩの前記コードブックは、
Ｗ＝Ｗ１×Ｗ２、であり、
Ｗは前記ＵＥの各トランスポート層における前記ＣＳＩの前記コードブックであり、Ｗ１はレベル１コードブックであり、Ｗ１＝［ｂ１  ｂ２  ・・・  ｂＫ］、Ｗ１の中のｂｉはコードワードを表し、ＫはＷ１の列の数であり、Ｋは１以上の正整数であり、Ｗ２はレベル２コードブックであり、Ｗ２はＷ２＝［Ｘ１  Ｘ２  ・・・  ＸＫ］Ｔと表され、Ｗ２の中の要素ＸｉはＷ１の中の各コードワードに対応する重み係数であり、ｉは１以上且つＫ以下の整数であり、前記ＵＥの各トランスポート層における前記ＣＳＩの前記コードブックの前記量子化値は、Ｗ２の中の前記要素Ｘｉの量子化値を含み、前記ビットシーケンスの中のＷ２の中の少なくとも２つの要素の量子化値は異なる数のビットを占有する、ステップと、
前記ネットワーク装置により、Ｗ２の中のｉ番目の要素の量子化値により占有されるビットの数Ｎｉを決定するステップと、
前記ネットワーク装置により、Ｎｉに基づき、前記の受信したビットシーケンスから前記ｉ番目の要素の前記量子化値を抽出するステップと、
を含む方法。
【請求項１４】
チャネル状態情報受信方法であって、
ネットワーク装置により、ユーザ機器ＵＥにより送信されたビットシーケンスを受信するステップであって、前記ビットシーケンスは、各トランスポート層における前記ＵＥのＣＳＩのコードブックの量子化値を含み、前記ＵＥの各トランスポート層における前記ＣＳＩの前記コードブックは、
Ｗ＝Ｗ１×Ｗ２であり、
Ｗは前記ＵＥの各トランスポート層における前記ＣＳＩの前記コードブックであり、Ｗ１はレベル１コードブックであり、Ｗ１はＷ１＝［ｐ１ｂ１  ｐ２ｂ２  ・・・  ｐＫｂＫ］と表され、ＫはＷ１の列の数であり、Ｋは１以上の正整数であり、Ｗ１の中のｂｉはコードワードを表し、ｐｉは対応するコードワードの振幅重み情報を表し、０≦ｐｉ≦１、ｐ１＝１、Ｗ２はレベル２コードブックであり、Ｗ２はＷ２＝［Ｘ１  Ｘ２  ・・・  ＸＫ］Ｔと表され、Ｗ２の中の要素ＸｉはＷ１の中の各コードワードに対応する重み係数であり、ｉは１以上且つＫ以下の整数であり、各トランスポート層における前記ＣＳＩの前記ＵＥの前記コードブックの前記量子化値は、Ｗ２の中の前記要素Ｘｉの量子化値を含み、前記ビットシーケンスの中のＷ２の中の少なくとも２つの要素の量子化値は異なる数のビットを占有する、ステップと、
前記ネットワーク装置により、Ｗ２の中のｉ番目の要素の量子化値により占有されるビットの数Ｎｉを決定するステップと、
前記ネットワーク装置により、Ｎｉに基づき、前記の受信したビットシーケンスから前記ｉ番目の要素の前記量子化値を抽出するステップと、
を含む方法。
【請求項１５】
Ｗ２の中のＮ番目の要素は、Ｗ２に対して正規化処理を実行するために前記ＵＥにより使用される基準であり、Ｎは１以上且つＫ以下の整数であり、
Ｗ２の中のｉ番目の要素の量子化値により占有されるビットの数Ｎｉを決定する前記ステップは、
ｉ＝Ｎのとき、Ｎｉ＝０であることを含み、
Ｗ２の中の前記Ｎ番目の要素以外の（Ｋ−１）個の要素の量子化値により占有されるビットの数の和は、Ｗ２の全ての量子化値により占有されるビットの数Ｎｔｏｔａｌである、請求項１３又は１４に記載の方法。
【請求項１６】
Ｗ２の中のｉ番目の要素の量子化値により占有されるビットの数Ｎｉを決定する前記ステップは、
ｉ≠Ｎのとき、Ｎｉの値は前記ｉ番目の要素の振幅値に正相関することを含む、請求項１５に記載の方法。
【請求項１７】
Ｎの値は、前記ＵＥと前記ネットワーク装置との間で予め合意された値である、請求項１５又は１６に記載の方法。
【請求項１８】
Ｎは１又はＫに等しい、請求項１７に記載の方法。
【請求項１９】
ｉ≠Ｎのとき、
【数２５】
2020504480.tif 000027
ρｉは前記ｉ番目の要素の前記振幅値であり、
【数２６】
2020504480.tif 000028
はｘ未満の最大整数を表し、
ＮｔｏｔａｌはＷ２の中の全ての要素の量子化値により占有されるビットの数である、
請求項１５乃至１８のいずれか一項に記載の方法。
【請求項２０】
ｉ≠Ｎのとき、Ｎｉ＝Ｎｂａｓｅ＋Ｎａｄｄ，ｉであり、
Ｎｂａｓｅは、前記ｉ番目の要素の前記量子化値により占有されるビットの基本数であり、Ｎａｄｄ，ｉは前記ｉ番目の要素の前記量子化値により占有される追加ビット数である、請求項１５乃至１８のいずれか一項に記載の方法。
【請求項２１】
Ｘｉは、複素数であり、振幅及び位相を含み、ｉ≠Ｎのとき、前記方法は、
前記ネットワーク装置により、前記ｉ番目の要素の振幅の量子化値により占有されるビットの数Ｎｉ−ａｍｐ、及び前記ｉ番目の要素の位相の量子化値により占有されるビットの数Ｎｉ−ｐｈａｓｅを別個に決定するステップであって、前記ｉ番目の要素の前記振幅の前記量子化値は、前記ｉ番目の要素の差動振幅の量子化値であり、前記ｉ番目の要素の前記差動振幅は、前記ｉ番目の要素の前記振幅値ρｉの、（ｉ−１）番目の要素の振幅値ρｉ−１に対する比ρｉ／ρｉ−１である、ステップを更に含む請求項１５乃至２０のいずれか一項に記載の方法。
【請求項２２】
Ｎｉが閾より小さいとき、Ｎｉ−ｐｈａｓｅ＝Ｎｉであり、又は、Ｎｉが閾以上のとき、Ｎｉ−ａｍｐ及びＮｉ−ｐｈａｓｅは比に基づき決定され、Ｎｉ−ａｍｐ＋Ｎｉ−ｐｈａｓｅ＝Ｎｉである、請求項２１に記載の方法。
【請求項２３】
【数２７】
2020504480.tif 000029
且つＮｉ−ａｍｐ＝Ｎｉ−Ｎｉ−ｐｈａｓｅであり、０＜ω＜１、ωはＮｉ−ｐｈａｓｅのＮｔｏｔａｌに対する比である、請求項２２に記載の方法。
【請求項２４】
Ｗ２の中のＮ番目の要素は、Ｗ２に対して正規化処理を実行するために前記ＵＥにより使用される基準であり、Ｎは１以上且つＫ以下の整数であり、
Ｗ２の中のｉ番目の要素の量子化値により占有されるビットの数Ｎｉを決定する前記ステップは、
ｉ＝１のとき、Ｘ１＝１、Ｎｉ＝０であることを含み、
Ｗ２の中の前記Ｎ番目の要素以外の（Ｋ−１）個の要素の量子化値により占有されるビットの数の和は、Ｗ２の全ての量子化値により占有されるビットの数Ｎｔｏｔａｌである、請求項１３又は１４に記載の方法。
【請求項２５】
ユーザ機器ＵＥであって、
各トランスポート層における前記ＵＥのＣＳＩのコードブックを決定するよう構成される処理ユニットであって、前記ＵＥの各トランスポート層における前記ＣＳＩの前記コードブックは、
Ｗ＝Ｗ１×Ｗ２であり、
Ｗは前記ＵＥの各トランスポート層における前記ＣＳＩの前記コードブックであり、Ｗ１はレベル１コードブックであり、Ｗ１＝［ｂ１  ｂ２  ・・・  ｂＫ］、Ｗ１の中のｂｉはコードワードを表し、ＫはＷ１の列の数であり、Ｋは１以上の正整数であり、Ｗ２はレベル２コードブックであり、Ｗ２はＷ２＝［Ｘ１  Ｘ２  ・・・  ＸＫ］Ｔと表され、Ｗ２の中の要素ＸｉはＷ１の中の各コードワードに対応する重み係数であり、ｉは１以上且つＫ以下の整数であり、前記処理ユニットは、Ｗ２の中のｉ番目の要素の量子化値により占有されるビットの数Ｎｉを決定するよう更に構成され、Ｗ２の少なくとも２つの要素の量子化値は異なる数のビットを占有する、処理ユニットと、
Ｎｉに基づき、前記ｉ番目の要素の前記量子化値をネットワーク装置にフィードバックするよう構成される送信ユニットと、
を含む機器。
【請求項２６】
ユーザ機器ＵＥであって、
各トランスポート層における前記ＵＥのＣＳＩのコードブックを決定するよう構成される処理ユニットであって、前記ＵＥの各トランスポート層における前記ＣＳＩの前記コードブックは、
Ｗ＝Ｗ１×Ｗ２であり、
Ｗは前記ＵＥの各トランスポート層における前記ＣＳＩの前記コードブックであり、Ｗ１はレベル１コードブックであり、Ｗ１はＷ１＝［ｐ１ｂ１  ｐ２ｂ２  ・・・  ｐＫｂＫ］と表され、ＫはＷ１の列の数であり、Ｋは１以上の正整数であり、Ｗ１の中のｂｉはコードワードを表し、ｐｉは対応するコードワードの振幅重み情報を表し、０≦ｐｉ≦１、ｐ１＝１、Ｗ２はレベル２コードブックであり、Ｗ２はＷ２＝［Ｘ１  Ｘ２  ・・・  ＸＫ］Ｔと表され、Ｗ２の中の要素ＸｉはＷ１の中の各コードワードに対応する重み係数であり、ｉは１以上且つＫ以下の整数であり、前記処理ユニットは、Ｗ２の中のｉ番目の要素の量子化値により占有されるビットの数Ｎｉを決定するよう更に構成され、Ｗ２の少なくとも２つの要素の量子化値は異なる数のビットを占有する、処理ユニットと、
Ｎｉに基づき、前記ｉ番目の要素の前記量子化値をネットワーク装置にフィードバックするよう構成される送信ユニットと、
を含む機器。
【請求項２７】
前記処理ユニットは、Ｗ２の中のＮ番目の要素に基づき、Ｗ２に対して正規化処理を実行するよう更に構成され、Ｎは１以上且つＫ以下の整数であり、ｉ＝Ｎのとき、Ｎｉ＝０である、請求項２５又は２６に記載の機器。
【請求項２８】
ｉ≠Ｎのとき、Ｎｉの値は前記ｉ番目の要素の振幅値に正相関する、請求項２７に記載の機器。
【請求項２９】
Ｎの値は、前記ＵＥと前記ネットワーク装置との間で予め合意された値である、請求項２７又は２８に記載の機器。
【請求項３０】
Ｎは１又はＫに等しい、請求項２４に記載の機器。
【請求項３１】
ｉ≠Ｎのとき、
【数２８】
2020504480.tif 000030
ρｉは前記ｉ番目の要素の前記振幅値であり、
【数２９】
2020504480.tif 000031
はｘ未満の最大整数を表し、
ＮｔｏｔａｌはＷ２の中の全ての要素の量子化値により占有されるビットの数である、
請求項２５乃至３０のいずれか一項に記載の機器。
【請求項３２】
ｉ≠Ｎのとき、Ｎｉ＝Ｎｂａｓｅ＋Ｎａｄｄ，ｉであり、
Ｎｂａｓｅは、前記ｉ番目の要素の前記量子化値により占有されるビットの基本数であり、Ｎａｄｄ，ｉは前記ｉ番目の要素の前記量子化値により占有される追加ビット数である、請求項２７乃至３０のいずれか一項に記載の機器。
【請求項３３】
Ｘｉは、複素数であり、振幅及び位相を含み、ｉ≠Ｎのとき、前記処理ユニットは、前記ｉ番目の要素の振幅を量子化するよう更に構成され、
前記ｉ番目の要素の振幅を量子化するとき、前記処理ユニットは、前記ｉ番目の要素の差動振幅を量子化するよう構成され、前記ｉ番目の要素の前記差動振幅は、前記ｉ番目の要素の前記振幅値ρｉの（ｉ−１）番目の要素の振幅値ρｉ−１に対する比ρｉ／ρｉ−１である、請求項２７乃至３２のいずれか一項に記載の機器。
【請求項３４】
ｉ≠Ｎのとき、
前記処理ユニットは、前記ｉ番目の要素の前記振幅の量子化値により占有されるビットの数Ｎｉ−ａｍｐ、及び前記ｉ番目の要素の位相の量子化値により占有されるビットの数Ｎｉ−ｐｈａｓｅを別個に決定するよう構成され、Ｎｉが閾より小さいとき、Ｎｉ−ｐｈａｓｅ＝Ｎｉであり、又はＮｉが閾以上であるとき、Ｎｉ−ａｍｐ及びＮｉ−ｐｈａｓｅは比に基づき決定され、Ｎｉ−ａｍｐ＋Ｎｉ−ｐｈａｓｅ＝Ｎｉである、請求項２７乃至３３のいずれか一項に記載の機器。
【請求項３５】
【数３０】
2020504480.tif 000032
且つＮｉ−ａｍｐ＝Ｎｉ−Ｎｉ−ｐｈａｓｅであり、０＜ω＜１、ωはＮｉ−ｐｈａｓｅのＮｔｏｔａｌに対する比である、請求項３４に記載の機器。
【請求項３６】
前記処理ユニットは、Ｗ２の中のＮ番目の要素に基づき、Ｗ２に対して正規化処理を実行するよう更に構成され、Ｎは１以上且つＫ以下の整数であり、ｉ＝１のとき、Ｘ１＝１及びＮ１＝０である、請求項２５又は２６に記載の機器。
【請求項３７】
ネットワーク装置であって、
ユーザ機器ＵＥにより送信されたビットシーケンスを受信するよう構成される受信ユニットであって、前記ビットシーケンスは各トランスポート層における前記ＵＥのＣＳＩのコードブックの量子化値を含み、前記ＵＥの各トランスポート層における前記ＣＳＩの前記コードブックは、
Ｗ＝Ｗ１×Ｗ２であり、
Ｗは前記ＵＥの各トランスポート層における前記ＣＳＩの前記コードブックであり、Ｗ１はレベル１コードブックであり、Ｗ１＝［ｂ１  ｂ２  ・・・  ｂＫ］、Ｗ１の中のｂｉはコードワードを表し、ＫはＷ１の列の数であり、Ｋは１以上の正整数であり、Ｗ２はレベル２コードブックであり、Ｗ２はＷ２＝［Ｘ１  Ｘ２  ・・・  ＸＫ］Ｔと表され、Ｗ２の中の要素ＸｉはＷ１の中の各コードワードに対応する重み係数であり、ｉは１以上且つＫ以下の整数であり、前記ＵＥの各トランスポート層における前記ＣＳＩの前記コードブックの前記量子化値は、Ｗ２の中の前記要素Ｘｉの量子化値を含み、前記ビットシーケンスの中のＷ２の中の少なくとも２つの要素の量子化値は異なる数のビットを占有する、受信ユニットと、
Ｗ２の中のｉ番目の要素の量子化値により占有されるビットの数Ｎｉを決定するよう構成され、及びＮｉに基づき、前記の受信したビットシーケンスから前記ｉ番目の要素の前記量子化値を抽出するよう構成される、前記処理ユニットと、
を含む装置。
【請求項３８】
ネットワーク装置であって、
ユーザ機器ＵＥにより送信されたビットシーケンスを受信するよう構成される受信ユニットであって、前記ビットシーケンスは、各トランスポート層における前記ＵＥのＣＳＩのコードブックの量子化値を含み、前記ＵＥの各トランスポート層における前記ＣＳＩの前記コードブックは、
Ｗ＝Ｗ１×Ｗ２であり、
Ｗは前記ＵＥの各トランスポート層における前記ＣＳＩの前記コードブックであり、Ｗ１はレベル１コードブックであり、Ｗ１はＷ１＝［ｐ１ｂ１  ｐ２ｂ２  ・・・  ｐＫｂＫ］と表され、ＫはＷ１の列の数であり、Ｋは１以上の正整数であり、Ｗ１の中のｂｉはコードワードを表し、ｐｉは対応するコードワードの振幅重み情報を表し、０≦ｐｉ≦１、ｐ１＝１、Ｗ２はレベル２コードブックであり、Ｗ２はＷ２＝［Ｘ１  Ｘ２  ・・・  ＸＫ］Ｔと表され、Ｗ２の中の要素ＸｉはＷ１の中の各コードワードに対応する重み係数であり、ｉは１以上且つＫ以下の整数であり、前記ＵＥの各トランスポート層における前記ＣＳＩの前記コードブックの前記量子化値は、Ｗ２の中の前記要素Ｘｉの量子化値を含み、前記ビットシーケンスの中のＷ２の中の少なくとも２つの要素の量子化値は異なる数のビットを占有する、受信ユニットと、
Ｗ２の中のｉ番目の要素の量子化値により占有されるビットの数Ｎｉを決定するよう構成され、及びＮｉに基づき、前記の受信したビットシーケンスから前記ｉ番目の要素の前記量子化値を抽出するよう構成される、前記処理ユニットと、
を含む装置。
【請求項３９】
Ｗ２の中のＮ番目の要素は、Ｗ２に対して正規化処理を実行するために前記ＵＥにより使用される基準であり、Ｎは１以上且つＫ以下の整数であり、ｉ＝Ｎのとき、Ｎｉ＝０である、請求項３７又は３８に記載の装置。
【請求項４０】
ｉ≠Ｎのとき、Ｎｉの値は前記ｉ番目の要素の振幅値に正相関する、請求項３９に記載の装置。
【請求項４１】
Ｎの値は、前記ＵＥと前記ネットワーク装置との間で予め合意された値である、請求項３９又は４０に記載の装置。
【請求項４２】
Ｎは１又はＫに等しい、請求項４１に記載の装置。
【請求項４３】
ｉ≠Ｎのとき、
【数３１】
2020504480.tif 000033
ρｉは前記ｉ番目の要素の前記振幅値であり、
【数３２】
2020504480.tif 000034
はｘ未満の最大整数を表し、
ＮｔｏｔａｌはＷ２の中の全ての要素の量子化値により占有されるビットの数である、
請求項３９乃至４２のいずれか一項に記載の装置。
【請求項４４】
ｉ≠Ｎのとき、Ｎｉ＝Ｎｂａｓｅ＋Ｎａｄｄ，ｉであり、
Ｎｂａｓｅは、前記ｉ番目の要素の前記量子化値により占有されるビットの基本数であり、Ｎａｄｄ，ｉは前記ｉ番目の要素の前記量子化値により占有される追加ビット数である、請求項３９乃至４２のいずれか一項に記載の装置。
【請求項４５】
Ｘｉは、複素数であり、振幅及び位相を含み、ｉ≠Ｎのとき、前記処理ユニットは、前記ｉ番目の要素の振幅の量子化値により占有されるビットの数Ｎｉ−ａｍｐ、及び前記ｉ番目の要素の位相の量子化値により占有されるビットの数Ｎｉ−ｐｈａｓｅを別個に決定するよう構成され、
前記ｉ番目の要素の前記振幅の前記量子化値は、前記ｉ番目の要素の差動振幅であり、前記ｉ番目の要素の前記差動振幅は、前記ｉ番目の要素の前記振幅値ρｉの、（ｉ−１）番目の要素の振幅値ρｉ−１に対する比ρｉ／ρｉ−１である、請求項３９乃至４４のいずれか一項に記載の装置。
【請求項４６】
Ｎｉが閾より小さいとき、Ｎｉ−ｐｈａｓｅ＝Ｎｉであり、又は、Ｎｉが閾以上のとき、Ｎｉ−ａｍｐ及びＮｉ−ｐｈａｓｅは比に基づき決定され、Ｎｉ−ａｍｐ＋Ｎｉ−ｐｈａｓｅ＝Ｎｉである、請求項４５に記載の装置。
【請求項４７】
【数３３】
2020504480.tif 000035
且つＮｉ−ａｍｐ＝Ｎｉ−Ｎｉ−ｐｈａｓｅであり、０＜ω＜１、ωはＮｉ−ｐｈａｓｅのＮｔｏｔａｌに対する比である、請求項４６に記載の装置。
【請求項４８】
Ｗ２の中のＮ番目の要素は、Ｗ２に対して正規化処理を実行するために前記ＵＥにより使用される基準であり、Ｎは１以上且つＫ以下の整数であり、ｉ＝１のとき、Ｘ１＝１、及びＮ１＝０である、請求項３７又は３８に記載の装置。
【発明の詳細な説明】
【技術分野】
【０００１】
［関連出願］
本願は、中国特許出願番号ＣＮ２０１６１０９６３５６６．３、名称「information  feedback  method,  user  equipment,  and  network  device」、２０１６年１１月４日に中国特許庁に出願、中国特許出願番号２０１７１０２１５５９７．５、名称「information  feedback  method,  user  equipment,  and  network  device」、２０１７年４月４日に中国特許庁に出願、の優先権を主張し、これらの出願は参照によりそれらの全体がここに組み込まれる。
【０００２】
［技術分野］
本発明は、無線通信技術に関し、特に情報フィードバック方法、ユーザ機器、及びネットワーク装置に関する。
【背景技術】
【０００３】
マッシブ多入力多出力（Massive  MIMO（Multiple  Input  Multiple  Output））技術は、一般に認められているように、第５世代（５th  Generation、５G）通信システムの主要技術のうちの１つである。Ｍａｓｓｉｖｅ  ＭＩＭＯでは、大規模アンテナが使用されるので、スペクトル効率が著しく向上する。ネットワーク装置により取得されるチャネル状態情報（ＣＳＩ）の精度は、Ｍａｓｓｉｖｅ  ＭＩＭＯの性能をかなりの程度まで決定する。チャネル相互関係が良好に満たされない周波数分割複信（frequency  division  duplex、ＦＤＤ）システム又は時分割複信（time  division  duplex、ＴＤＤ）システムでは、ＣＳＩ情報を量子化するためにコードブックが通常使用される。したがって、コードブック設計はＭａｓｓｉｖｅ  ＭＩＭＯの主要な課題である。
【０００４】
従来技術では、１つの最適コードワードが複数の候補コードワードから選択され、選択されたコードワードは、プリコーディング行列指示（precoding  matrix  indication、ＰＭＩ）の形式でＣＳＩ情報として報告される。新無線（new  radio、ＮＲ）技術を用いるＭａｓｓｉｖｅ  ＭＩＭＯは、チャネル状態情報フィードバックに対して一層高い要件を課す。前述のメカニズムは、ＮＲの高精度ＣＳＩ要件を満たすことができない。この観点から、現在、ＮＲでは、高精度ＣＳＩフィードバックメカニズム設計の議論は、主に、複数のコードワードを線形に重ね合わせることによりＣＳＩを表す方法に焦点を当て、ＣＳＩが単一のコードワードを用いて表されるときに引き起こされる量子化精度損失が補償され、及びＣＳＩフィードバック品質が著しく向上されるようにする。
【０００５】
複数のコードワードを線形に重ね合わせることによりＣＳＩを表す方法について、チャネル状態情報フィードバック精度を向上するために、情報フィードバック方法が提供される必要がある。
【発明の概要】
【０００６】
この観点から、チャネル状態情報フィードバック精度を向上するための情報フィードバック方法を提供する必要がある。
【０００７】
本発明の第１の態様は、情報フィードバック方法であって、
ユーザ機器ＵＥの各トランスポート層におけるＣＳＩのコードブックを決定するステップであって、前記ＵＥの各トランスポート層における前記ＣＳＩの前記コードブックは、
Ｗ＝Ｗ１×Ｗ２であり、
Ｗは前記ＵＥの各トランスポート層における前記ＣＳＩの前記コードブックであり、Ｗ１はレベル１コードブックであり、Ｗ１＝［ｂ１  ｂ２  ・・・  ｂＫ］、ｂｉはコードワードを表し、ＫはＷ１の列の数であり、Ｋは１以上の正整数であり、Ｗ２はレベル２コードブックであり、Ｗ２はＷ２＝［Ｘ１  Ｘ２  ・・・  ＸＫ］Ｔとして表され、Ｗ２の中の要素ＸｉはＷ１の中の各コードワードに対応する重み係数であり、ｉは１以上且つＫ以下の整数である、ステップと、
Ｗ２の中のｉ番目の要素の量子化値により占有されるビットの数Ｎｉを決定するステップであって、Ｗ２の中の少なくとも２つの要素の量子化値は異なる数のビットを占有する、ステップと、
Ｎｉに基づき、ｉ番目の要素の量子化値をネットワーク装置にフィードバックするステップと、を含む方法を提供する。
【０００８】
本発明の第２の態様は、情報フィードバック方法であって、
ネットワーク装置により、ユーザ機器ＵＥにより送信されたビットシーケンスを受信するステップであって、前記ビットシーケンスは、各トランスポート層における前記ＵＥのＣＳＩのコードブックの量子化値を含み、前記ＵＥの各トランスポート層における前記ＣＳＩの前記コードブックは、
Ｗ＝Ｗ１×Ｗ２であり、
Ｗは前記ＵＥの各トランスポート層における前記ＣＳＩの前記コードブックであり、Ｗ１はレベル１コードブックであり、Ｗ１＝［ｂ１  ｂ２  ・・・  ｂＫ］、ｂｉはコードワードを表し、ＫはＷ１の列の数であり、Ｋは１以上の正整数であり、Ｗ２はレベル２コードブックであり、Ｗ２はＷ２＝［Ｘ１  Ｘ２  ・・・  ＸＫ］Ｔとして表され、Ｗ２の中の要素ＸｉはＷ１の中の各コードワードに対応する重み係数であり、ｉは１以上且つＫ以下の整数であり、前記ＵＥの各トランスポート層における前記ＣＳＩの前記コードブックの前記量子化値は、Ｗ２の中の要素Ｘｉの量子化値を含み、前記ビットシーケンスの中のＷ２の中の少なくとも２つの要素の量子化値は異なる数のビットを占有する、ステップと、
前記ネットワーク装置により、Ｗ２の中のｉ番目の要素の量子化値により占有されるビットの数Ｎｉを決定するステップと、
前記ネットワーク装置により、Ｎｉに基づき、前記受信したビットシーケンスから前記ｉ番目の要素の前記量子化値を抽出するステップと、を含む方法を提供する。
【０００９】
本発明の第３の態様は、ユーザ機器であって、
各トランスポート層における前記ＵＥのＣＳＩのコードブックを決定するよう構成される処理ユニットであって、前記ＵＥの各トランスポート層における前記ＣＳＩの前記コードブックは、
Ｗ＝Ｗ１×Ｗ２であり、
Ｗは前記ＵＥの各トランスポート層における前記ＣＳＩの前記コードブックであり、Ｗ１はレベル１コードブックであり、Ｗ１＝［ｂ１  ｂ２  ・・・  ｂＫ］、ｂｉはコードワードを表し、ＫはＷ１の列の数であり、Ｋは１以上の正整数であり、Ｗ２はレベル２コードブックであり、Ｗ２はＷ２＝［Ｘ１  Ｘ２  ・・・  ＸＫ］Ｔとして表され、Ｗ２の中の要素ＸｉはＷ１の中の各コードワードに対応する重み係数であり、ｉは１以上且つＫ以下の整数であり、前記処理ユニットは、Ｗ２の中のｉ番目の要素の量子化値により占有されるビットの数Ｎｉを決定するよう更に構成され、Ｗ２の中の少なくとも２つの要素の量子化値は異なる数のビットを占有する、処理ユニットと、
Ｎｉに基づき、ネットワーク装置へ前記ｉ番目の要素の前記量子化値をフィードバックするよう構成される送信ユニットと、を含むユーザ機器を提供する。
【００１０】
本発明の第４の態様は、ネットワーク装置であって、
ユーザ機器ＵＥにより送信されたビットシーケンスを受信するよう構成される受信ユニットであって、前記ビットシーケンスは各トランスポート層における前記ＵＥのＣＳＩのコードブックの量子化値を含み、前記ＵＥの各トランスポート層における前記ＣＳＩの前記コードブックは、
Ｗ＝Ｗ１×Ｗ２であり、
Ｗは前記ＵＥの各トランスポート層における前記ＣＳＩの前記コードブックであり、Ｗ１はレベル１コードブックであり、Ｗ１＝［ｂ１  ｂ２  ・・・  ｂＫ］、ｂｉはコードワードを表し、ＫはＷ１の列の数であり、Ｋは１以上の正整数であり、Ｗ２はレベル２コードブックであり、Ｗ２はＷ２＝［Ｘ１  Ｘ２  ・・・  ＸＫ］Ｔとして表され、Ｗ２の中の要素ＸｉはＷ１の中の各コードワードに対応する重み係数であり、ｉは１以上且つＫ以下の整数であり、前記ＵＥの各トランスポート層における前記ＣＳＩの前記コードブックの前記量子化値は、Ｗ２の中の要素Ｘｉの量子化値を含み、前記ビットシーケンスの中のＷ２の中の少なくとも２つの要素の量子化値は異なる数のビットを占有する、受信ユニットと、
Ｗ２の中のｉ番目の要素の量子化値により占有されるビットの数Ｎｉを決定するよう構成され、及び、Ｎｉに基づき、前記受信したビットシーケンスから前記ｉ番目の要素の前記量子化値を抽出するよう構成される前記処理ユニットと、を含むネットワーク装置を提供する。
【００１１】
本発明の実施形態では、Ｗ２の中のｉ番目の要素の量子化値により占有されるビットの数Ｎｉが決定され、Ｗ２の中の少なくとも２つの要素の量子化値は異なる数のビットを占有し、量子化精度が向上でき、さらにＣＳＩフィードバック精度が向上できるようにする。
【図面の簡単な説明】
【００１２】
【図１】本発明の一実施形態による無線通信ネットワークの一例の概略図である。
【００１３】
【図２】本発明の一実施形態によるＣＳＩフィードバック処理の概略図である。
【００１４】
【図３】本発明の一実施形態によるユーザ機器の概略構造図である。
【００１５】
【図４】本発明の一実施形態によるネットワーク装置の概略構造図である。
【００１６】
【図５】本発明の一実施形態によるユーザ機器の概略構造図である。
【００１７】
【図６】本発明の一実施形態によるネットワーク装置の概略構造図である。
【発明を実施するための形態】
【００１８】
通信理論及び実践の絶え間ない発展により、より多くの無線通信技術が出現し成熟してきている。無線通信技術は、限定ではないが、時分割多重アクセス（Time  Division  Multiple  Access、ＴＤＭＡ）技術、周波数分割多重アクセス（Frequency  Division  Multiple  Access、ＦＤＭＡ）技術、符号分割多重アクセス（Code  Division  Multiple  Access、ＣＤＭＡ）技術、時分割同期符号分割多重アクセス（Time  Division−Synchronous  Code  Division  Multiple  Access、ＴＤ−ＳＣＤＭＡ）、直交周波数分割多重アクセス（Orthogonal  FDMA、ＯＦＤＭＡ）技術、シングルキャリア周波数分割多重アクセス（Single  Carrier  FDMA、ＳＣ−ＦＤＭＡ）技術、空間分割多重アクセス（Space  Division  Multiple  Access、ＳＤＭＡ）技術、及びこれらの技術の進化型及び派生技術を含む。無線通信技術は、限定ではないがグローバルシステム・フォー・モバイルコミュニケーションズ（Global  System  for  Mobile  Communications、ＧＳＭ）、ＣＤＭＡ２０００、広帯域ＣＤＭＡ（Wideband  CDMA、ＷＣＤＭＡ）、８０２．１１標準シリーズで定められたＷｉＦｉ、ワールドワイド・インターオペラビリティ・フォー・マイクロウェーブアクセス（Worldwide  Interoperability  for  Microwave  Access、ＷｉＭＡＸ）、ロングタームエボリューション（Long  Term  Evolution、ＬＴＥ）、ＬＴＥアドバンスト（LTE-Advanced、ＬＴＥ−Ａ）、及びこれらの無線通信システムの進化型システムを含む、現在人々に一般に知られている様々な無線通信システム（又はネットワーク）を構築するために、無線アクセス技術（Radio  Access  Technology、ＲＡＴ）のような複数の無線通信標準において採用される。特に断りのない限り、本発明の実施形態で提供される技術的ソリューションは、前述の様々な無線通信技術及び無線通信システムに適用されてよい。さらに、用語「システム」及び「ネットワーク」は、互いに置換可能である。
【００１９】
図１は、本発明の一実施形態による無線通信ネットワークの一例の概略図である。図１に示されるように、無線通信ネットワークは、ネットワーク装置１０２〜１０６、及びユーザ機器（user  equipment、ＵＥ）１０８〜１２２を含む。ネットワーク装置１０２〜１０６は、（例えば、ネットワーク装置１０２〜１０６間の直線で示される）バックホール（backhaul）リンクを用いて互いに通信してよい。バックホールリンクは、有線バックホールリンク（例えば、光ファイバ、又は銅線ケーブル）であってよく、又は無線バックホールリンク（例えば、マイクロ波）であってよい。ユーザ機器１０８〜１２２は、（例えば、ネットワーク装置１０２〜１０６とユーザ機器１０８〜１２２との間の折れ線で示される）無線リンクを用いてネットワーク装置１０２〜１０６と通信してよい。
【００２０】
ネットワーク装置１０２〜１０６は、ユーザ機器１０８〜１１８に無線アクセスサービスを提供するよう構成される。具体的に、各ネットワーク装置は、サービスカバレッジ領域（代替として、図１の各楕円領域により示されるセルと呼ばれてよい）を提供し、該領域に入るユーザ機器は、ネットワーク装置により提供される無線アクセスサービスを受けるために、無線信号を用いてネットワーク装置と通信してよい。ネットワーク装置のサービスカバレッジ領域は重なり合ってよく、重なり合う領域内のユーザ機器は複数のネットワーク装置から無線信号を受信してよい。例えば、図１に示されるように、ネットワーク装置１０２のサービスカバレッジ領域は、ネットワーク装置１０４のサービスカバレッジ領域と重なり合い、ユーザ機器１１２は該重なり合う領域内に位置する。したがって、ユーザ機器１１２は、ネットワーク装置１０２及びネットワーク装置１０４から無線信号を受信してよい。別の例では、図１に示されるように、ネットワーク装置１０２、１０４、及び１０６のサービスカバレッジ領域の間に共通の重なり合う領域が存在し、ユーザ機器１２０は該重なり合う領域内に位置する。したがって、ユーザ機器１２０は、ネットワーク装置１０２、１０４、及び１０６から無線信号を受信し得る。
【００２１】
使用される無線通信技術に依存して、ネットワーク装置は、代替としてＮｏｄｅＢ（NodeB）、進化型ＮｏｄｅＢ（evolved  NodeB、ｅＮｏｄｅＢ）、アクセスポイント（Access  Point、ＡＰ）、等と呼ばれてよい。さらに、提供されるサービスカバレッジ領域のサイズに基づき、ネットワーク装置は、マクロセル（Macro  cell）を提供するよう構成されるマクロ基地局、ピコセル（Pico  cell）を提供するよう構成されるマイクロ基地局、及びフェムトセル（Femto  cell）を提供するよう構成されるフェムト基地局に更に分類されてよい。無線通信技術の絶えず続く進化により、将来のネットワーク装置は代替として別の名称を有する場合がある。
【００２２】
ユーザ機器１０８〜１１８は、無線通信機能を備える無線通信装置であってよい。例えば、無線通信装置は、限定ではないが、モバイルセルラ電話機、コードレス電話機、パーソナルデジタルアシスタント（Personal  Digital  Assistant、ＰＤＡ）、スマートフォン、ノートブックコンピュータ、タブレットコンピュータ、無線データカード、無線モデム（Modulator  demodulator、Ｍｏｄｅｍ）、又はスマートウォッチのようなウェアラブル装置を含む。モノのインターネット（Internet  of  Things、ＩＯＴ）技術の発達により、無線通信ユニットは、以前には通信機能を備えていないより多くの装置の中に構成され始めており、該装置が無線通信機能を備え、無線通信ネットワークにアクセスし及び遠隔制御を受けることができるようにしている。例えば、装置は、限定ではないが、家電機器、車、工具機器、サービス機器、及びサービス設備を含む。このような装置は、無線通信ユニットが該装置内に構成されるので、無線通信機能を有する。したがって、装置は、無線通信装置の範囲に属する。さらに、ユーザ機器１０８〜１１８は、代替として、移動局、モバイル装置、モバイル端末、無線端末、ハンドヘルド装置、クライアント、等と呼ばれてよい。
【００２３】
複数のアンテナは、ＭＩＭＯ技術をサポートするために、ネットワーク装置１０２〜１０６及びユーザ機器１０８〜１２２内に構成されてよい。さらに、ユーザ機器１０８〜１２２は、単一ユーザＭＩＭＯ（Single-User  MIMO、ＳＵ−ＭＩＭＯ）をサポートできるだけでなく、ＳＤＭＡ技術のお陰で複数ユーザＭＩＭＯ（Multi-User  MIMO、ＭＵ−ＭＩＭＯ）もサポートできる。複数のアンテナが構成されるので、ネットワーク装置１０２〜１０６及びユーザ機器１０８〜１２２は、単一入力単一出力（Single  Input  Single  Output、ＳＩＳＯ）技術、単一入力多出力（Single  Input  Multiple  Output、ＳＩＭＯ）技術、及び多入力単一出力（Multiple  Input  Single  Output、ＭＩＳＯ）技術を更に柔軟にサポートしてよい。ＳＩＭＯは、代替として受信ダイバーシティ（Receive  Diversity、ＲＤ）と呼ばれてよく、ＭＩＳＯは、代替として送信ダイバーシティ（Transmit  Diversity、ＴＤ）と呼ばれてよい。
【００２４】
さらに、ネットワーク装置１０２は、様々な無線通信技術を用いてユーザ機器１０４〜１１０と通信してよい。例えば、無線通信技術は、限定ではないが、前述の様々な無線通信技術を含む。
【００２５】
留意すべきことに、図１の無線通信ネットワークは、単に一例として使用され、本発明の技術的ソリューションを限定するために使用されない。当業者は、特定の実装過程中に、無線通信ネットワークが別の装置を更に含むことを理解すべきである。別の装置は、例えば、限定ではないが、ネットワーク装置コントローラを含む。さらに、ネットワーク装置及びユーザ機器は、代替として、特定の必要に基づき構成されてよい。
【００２６】
本発明の実施形態で提供される技術的ソリューションによると、ユーザ機器は、チャネル状態情報（Channel  State  Information、ＣＳＩ）をネットワーク装置にフィードバックし、ネットワーク装置は、ＣＳＩに基づき、ユーザ機器へ送信される必要のある無線信号を調整して、ユーザ機器側でより良好な受信効果を達成する。以下は、具体的に、本発明の実施形態で提供されるＣＳＩフィードバック処理を記載する。
【００２７】
ＣＳＩ情報フィードバック処理中に、ネットワーク装置は、ダウンリンク信号を送信し、ダウンリンク信号はパイロットを伝達する。ユーザ機器は、受信したダウンリンク信号に含まれるパイロットに基づき、チャネル情報を決定する。例えば、チャネル情報はチャネル行列として表されてよい。ユーザ機器は、決定したチャネル情報及びプリセット符号化コードブックに基づき、ＵＥのＣＳＩを表すために使用されるコードブックを決定し、ＵＥのＣＳＩのコードブックに基づきＣＳＩを生成し、ＣＳＩをネットワーク装置にフィードバックする。ネットワーク装置は、受信したＣＳＩに基づき、ＵＥのＣＳＩのコードブックを取得する。ネットワーク装置は、コードブックを用いて、ユーザ機器へ送信される必要のある信号をプリコードしてよい。
【００２８】
Ｌ個のトランスポート層があり、Ｌが１以上である場合、ユーザ機器は、各トランスポート層におけるＣＳＩのコードブックを決定し、ＵＥの各トランスポート層におけるＣＳＩのコードブックに基づき、トランスポート層におけるＣＳＩを生成する。
【００２９】
プリセット符号化コードブックは、Ｂ＝［ｂ１  ｂ２  ・・・  ｂＭ］として表されてよく、ｂｉはプリセット符号化コードブックＢの中のｉ番目のコードワードである。
【００３０】
ＵＥの各トランスポート層におけるＣＳＩのコードブックは、Ｗ＝Ｗ１×Ｗ２として表されてよい。
【００３１】
Ｗは、ＵＥの各トランスポート層におけるＣＳＩのコードブックである。Ｗ１は、レベル１コードブックであり、Ｗ１＝［ｂ１  ｂ２  ・・・  ｂＫ］として表されてよい。Ｗ１の中のｂｉはコードワードを表す。ＫはＷ１の列の数であり、Ｋは１以上の正整数である。Ｗ１の中のｂｉは列ベクトルであってよく、Ｗ１の中のｂｉはコードブックＢから選択されたコードワードである。ＵＥは、決定したチャネル情報に基づき及びプリセット選択基準に基づき（例えば、プリセット選択基準は限定ではないが最大チャネル容量基準、最小平均二乗誤差基準、又は最小特異値基準を含む）、適切なコードワードをプリセット符号化コードブックから選択してよい。コードブックＢから選択されるｂｉは、ＵＥによりコードブックＢからチャネル情報に基づき選択されてよい。例えば、選択されたコードワードは、ＵＥのチャネル固有ベクトル又はＵＥのチャネル情報を用いて計算されたプリコーディングベクトルをコードブックＢに投影することにより取得されたＫ最大基準である。ＵＥは、広帯域又は狭帯域チャネル情報に基づき、コードブックＷ１を選択してよく、実際のシステムでは、１つ以上のサブバンドがＵＥに割り当てられる。広帯域チャネル情報は、ＵＥにより占有される全てのサブバンドの全体的チャネル特性を示すために使用され、例えば全ての割り当てられたサブバンドのチャネル情報の平均である。チャネル情報は、チャネル特性を表すために使用され、チャネルＨ又はＨの関連行列であってよい。
【００３２】
Ｗ１は、代替としてＷ１＝［ｐ１ｂ１  ｐ２ｂ２  ・・・  ｐＫｂＫ］として表されてよく、ＫはＷ１の列の数であり、Ｋは１以上の正整数であり、Ｗ１の中のｂｉはコードワードを表し、ｐｉは対応するコードワードの振幅重み情報を表し、０≦ｐｉ≦１、及びｐ１＝１である。Ｗ１の中のｂｉは列ベクトルであってよく、Ｗ１の中のｂｉはコードブックＢから選択されたコードワードである。ＵＥは、決定した広帯域又は狭帯域チャネル情報に基づき及びプリセット選択基準に基づき（例えば、プリセット選択基準は限定ではないが最大チャネル容量基準、最小平均二乗誤差基準、又は最小特異値基準を含む）、適切なコードワードをプリセット符号化コードブックから選択してよい。Ｗ１の中の且つコードブックＢから選択されたｂｉは、ＵＥによりコードブックＢからチャネル情報に基づき選択されてよい。例えば、選択されたコードワードは、ＵＥのチャネル固有ベクトル又はＵＥのチャネル情報を用いて計算されたプリコーディングベクトルをコードブックＢに投影することにより取得されたＫ最大基準である。対応するコードワードの振幅重み情報ｐｉも、ＵＥの広帯域又は狭帯域チャネル情報に基づき取得されてよい。
【００３３】
受信端装置は、送信端装置により送信されたパイロット（Pilot）を用いてチャネル行列を決定してよい。
【００３４】
Ｗ２はレベル２コードブックであり、Ｗ２はＷ２＝［Ｘ１  Ｘ２  ・・・  ＸＫ］Ｔとして表されてよく、Ｗ２の中の要素ＸｉはＷ１の中の各コードワードｂｉに対応する重み係数である。ｉは、１以上且つＫ以下の整数である。コードブックＷ２は、ＵＥの広帯域チャネル情報を用いて計算されてよく、ＵＥのサブバンドの各々が同じコードブック係数に対応するようにする。言い換えると、この場合には、ＵＥは１つのＷ２のみをフィードバックすればよい。コードブックＷ２は、ＵＥの狭帯域チャネル情報を用いて計算されてよく、ＵＥの各サブバンドが１つのコードブック係数に対応するようにする。言い換えると、この場合には、ＵＥは各サブバンドでＷ２をフィードバックする必要がある。Ｗ２の中の重み係数は、ＵＥの狭帯域又は広帯域チャネル固有ベクトル又はＵＥの狭帯域又は広帯域チャネル情報を用いて計算されたプリコーディングベクトルをＷ１に投影することにより、取得される基準である。通常、Ｗ１の中のコードワードの重み係数は、
【数１】
2020504480.tif 000003
として表されてよく、Ｗ２は、Ｗ２＝［Ｘ１  Ｘ２  ・・・  ＸＫ］Ｔとして表され、Ｗ２’に対して列転置を実行することにより取得される。
【００３５】
Ｗ２は、Ｗ２＝［１  Ｘ２  ・・・  ＸＫ］Ｔとして表されてもよい。Ｗ２の中の要素１は、Ｗ１の第１列ベクトルに対応する重み係数であり、Ｘｉは、Ｗ１のｉ番目の列ベクトルに対応する重み係数であり、ｉは２以上且つＫ以下の整数である。コードブックＷ２は、ＵＥの広帯域チャネル情報を用いて計算されてよく、ＵＥのサブバンドの各々が同じコードブック係数に対応するようにする。言い換えると、この場合には、ＵＥは１つのＷ２のみをフィードバックすればよい。コードブックＷ２は、ＵＥの狭帯域チャネル情報を用いて計算されてよく、ＵＥの各サブバンドが１つのコードブック係数に対応するようにする。言い換えると、この場合には、ＵＥは各サブバンドでＷ２をフィードバックする必要がある。Ｗ２の中の重み係数は、通常、ＵＥの狭帯域又は広帯域チャネル固有ベクトル又はＵＥの狭帯域又は広帯域チャネル情報を用いて計算されたプリコーディングベクトルをＷ１に投影することにより、取得される基準である。通常、Ｗ１の中のコードワードの重み係数は、
【数２】
2020504480.tif 000004
として表されてよく、Ｗ２は、Ｗ２＝［１  Ｘ２  ・・・  ＸＫ］Ｔとして表され、列転置を実行することにより取得される。
【００３６】
ＵＥの各トランスポート層におけるＣＳＩのコードブックに基づきＣＳＩを生成することは、通常、ＵＥの各トランスポート層におけるＣＳＩのコードブックの中の対応するＷ１及びＷ２の値に対応するインデックスが対応するプリコーディング行列インジケータ（PM  Indicator、ＰＭＩ）の中で伝達され、プリコーディング行列インジケータがＣＳＩとしてフィードバックされることを意味する。ＰＭＩに加えて、ＣＳＩは、以下のインジケータ：チャネル品質指示子（Channel  Quality  Indicator、ＣＱＩ）及びランク指示子（Rank  Indication、ＲＩ）のうちの少なくとも１つを更に含んでよい。無線インタフェースリソースは限られており、ＣＳＩを送信するために使用されるビット数が限られている。限られたビット数を用いて、値の連続したコードブックＷ２を送信するために、出力されるビットシーケンスがＷ２の中の要素の値のインデックスを示すために使用されるように、Ｗ２の中の要素の値は量子化される必要がある。量子化は、連続範囲が離散範囲として表されることを意味する。例えば、間隔［０−１０］は、４個のサブ間隔：［０−４］、［５−６］、［７−８］、及び［８−１０］に分けられ、４個のサブ間隔は、それぞれインデックス０、１、２、及び３を用いて表される。例えば、値３はサブ間隔［０−４］に属し、インデックス０を用いてインデックス付けされてよい。
【００３７】
本発明の本実施形態では、Ｗ２の中のｉ番目の要素の量子化値により占有されるビットの数Ｎｉが決定され、Ｗ２の中の少なくとも２つの要素の量子化値は異なる数のビットを占有し、量子化精度が向上でき、さらにＣＳＩフィードバック精度が向上できるようにする。
【００３８】
本発明の本実施形態では、Ｗ１の中のｐｉの量子化値により占有されるビットの数Ｍｉ、及びＷ２の中のｉ番目の要素の量子化値により占有されるビットの数Ｎｉが決定される。Ｗ１の中のｐｉ（ｉ＝２〜Ｋ）について、少なくとも２つの要素の量子化値は、異なる数のビットを占有し、Ｗ２の中の２番目の要素からＫ番目の要素までの要素について、少なくとも２つの要素の量子化値は異なる数のビットを占有する。代替として、Ｗ１の中のｐｉ（ｉ＝２〜Ｋ）について、全ての要素の量子化値は、同じ数のビットを占有し、Ｗ２の中の２番目の要素からＫ番目の要素までの要素について、少なくとも２つの要素の量子化値は異なる数のビットを占有する。代替として、Ｗ１の中のｐｉ（ｉ＝２〜Ｋ）について、少なくとも２つの要素の量子化値は、異なる数のビットを占有し、Ｗ２の中の２番目の要素からＫ番目の要素までの要素について、全ての要素の量子化値は同じ数のビットを占有する。
【００３９】
実際の動作中、Ｗ１及びＷ２を取得する複数の方法が存在してよい。例えば、第１に、Ｗ１及びＷ２は広帯域チャネル情報に基づき決定されてよく、次にＷ１及びＷ２のうちの一方が狭帯域チャネル情報に基づき更新される。このように、取得したＷ１及びＷ２のうちの一方は、広帯域情報に基づき取得され、他方が狭帯域情報に基づき取得される。前述の内容については、従来技術を参照し、詳細は本願明細書に記載されない。代替として、Ｗ１及びＷ２は狭帯域チャネル情報に基づき決定されてよく、次にＷ１及びＷ２のうちの一方が広帯域チャネル情報に基づき更新される。このように、取得したＷ１及びＷ２のうちの一方は、広帯域情報に基づき取得され、他方が狭帯域情報に基づき取得される。前述の内容については、従来技術を参照し、詳細は本願明細書に記載されない。代替として、Ｗ１及びＷ２は、それぞれ、広帯域チャネル情報及び狭帯域チャネル情報に基づき決定されてよく、特定の方法は記載されない。
【００４０】
図２は、本発明の第１実施形態によるチャネル状態情報ＣＳＩフィードバック方法の概略フローチャートである。方法は、図１に示す通信システムに適用可能であってよい。
【００４１】
方法２００は以下のステップを含む。
【００４２】
Ｓ２１０。ＵＥは、各トランスポート層におけるユーザ機器ＵＥのＣＳＩのコードブックを決定する。
【００４３】
ＵＥの各トランスポート層におけるＣＳＩのコードブックの説明については、前述の記載を参照し、詳細はここで再び記載されない。
【００４４】
任意で、ＵＥの各トランスポート層におけるＣＳＩのコードブックを決定する前に、ＵＥはネットワーク装置により送信されたパイロットを受信してよい。ユーザ機器は、受信したパイロットに基づき、チャネル情報を決定する。例えば、チャネル情報はチャネル行列として表されてよい。ユーザ機器は、決定したチャネル情報及びプリセット符号化コードブックに基づき、ＵＥのＣＳＩを表すために使用されるコードブックを決定する。
【００４５】
任意で、Ｗ２の中の要素Ｘｉは複素数であってよく、Ｘｉは、Ｘｉ＝αｉｅｊθｉとして表されてよく、αｉはｉ番目の要素の振幅を表し、θｉはｉ番目の要素の位相を表す。
【００４６】
Ｓ２２０。ＵＥは、Ｗ２の中のｉ番目の要素の量子化値により占有されるビットの数Ｎｉを決定する。ここで、Ｗ２の中の少なくとも２つの要素の量子化値は異なる数のビットを占有する。
【００４７】
Ｗ２の中の全ての要素の量子化値により占有されるビットの数は、Ｎｔｏｔａｌを用いて表されてよい。任意で、Ｎｔｏｔａｌ＝Ｋ＊Ｍであり、ＫはＷ１の列の数であり、Ｋは１以上の正整数であり、Ｍは、Ｗ２の列ベクトルが量子化されるとき、要素当たりの量子化値のビット数の平均である。
【００４８】
任意で、Ｗ１の中のｂｉの量子化値、及びＷ１の中のｂｉの量子化値により占有されるビットの数が、決定される必要がある。
【００４９】
任意で、Ｗ２の中の要素Ｘｉが複素数である場合、要素Ｘｉの振幅の量子化値及び要素Ｘｉの位相の量子化値は別個に決定される必要がある。方法は、ｉ番目の要素の振幅の量子化値により占有されるビットの数Ｎｉ−ａｍｐ、及びｉ番目の要素の位相の量子化値により占有されるビットの数Ｎｉ−ｐｈａｓｅを別個に決定するステップを更に含む。任意で、Ｎｉが閾より小さいとき、Ｎｉ−ｐｈａｓｅ＝Ｎｉであり、又は、Ｎｉが閾以上のとき、Ｎｉ−ａｍｐ及びＮｉ−ｐｈａｓｅは比に基づき決定され、Ｎｉ−ａｍｐ＋Ｎｉ−ｐｈａｓｅ＝Ｎｉである。例えば、
【数３】
2020504480.tif 000005
及び、Ｎｉ−ａｍｐ＝Ｎｉ−Ｎｉ−ｐｈａｓｅ、ここで、０＜ω＜１、ωはＮｉ−ｐｈａｓｅのＮｔｏｔａｌに対する比である。
【００５０】
任意で、Ｗ２の中のｉ番目の要素は、別個の量子化のために、実数部と虚数部に分けられてよい。詳細については、前述の振幅及び位相量子化方法を参照する。
【００５１】
任意で、Ｗ１の中のｂｉの量子化値、及びＷ１の中のｂｉの量子化値により占有されるビットが、決定される必要がある。
【００５２】
Ｓ２３０。ＵＥは、Ｎｉに基づき、ｉ番目の要素の量子化値をネットワーク装置にフィードバックする。
【００５３】
ＵＥがＮｉに基づき、ｉ番目の要素の量子化値をフィードバックするとき、ＵＥは、通常、Ｎｉに基づき、ｉ番目の要素の量子化値を対応するプリコーディング行列インジケータ（PM  Indicator、ＰＭＩ）に追加し、プリコーディング行列インジケータをＣＳＩとしてネットワーク装置にフィードバックする。
【００５４】
任意で、ＵＥは、Ｗ１の中のｂｉの量子化値により占有されるビットに基づき、Ｗ１の中のｂｉの量子化値をネットワーク装置にフィードバックする。具体的に言うと、Ｗ１の中のｂｉの量子化値は、対応するプリコーディング行列インジケータ（PM  Indicator、ＰＭＩ）に追加され、プリコーディング行列インジケータは、ＣＳＩとしてネットワーク装置にフィードバックされる。
【００５５】
任意で、ネットワーク装置及びＵＥは、Ｗ２の中のｉ番目の要素の量子化値により占有されるビットを予め決定してよい。或いは、ネットワーク装置は、Ｗ１の中のｂｉの量子化値により占有されるビットに基づき、Ｗ２の中のｉ番目の要素の量子化値により占有されるビットを決定してよい。或いは、ＵＥは、Ｗ２の中のｉ番目の要素の量子化値により占有されるビットを通知する。
【００５６】
Ｓ２４０。ネットワーク装置は、ユーザ機器ＵＥにより送信されたビットシーケンスを受信する。ここで、ビットシーケンスは、ＵＥの各トランスポート層におけるＣＳＩのコードブックの量子化値を含む。
【００５７】
ＵＥの各トランスポート層におけるＣＳＩのコードブックの量子化値は、Ｗ２の中の要素Ｘｉの量子化値を含み、Ｗ２の中の少なくとも２つの要素の量子化値はビットシーケンスの中の異なる数のビットを占有する。
【００５８】
任意で、Ｗ２の中の要素Ｘｉが複素数である場合、Ｗ２の中の要素Ｘｉの量子化値は、要素Ｘｉの振幅の量子化値、及び要素Ｘｉの位相の量子化値を含む。
【００５９】
任意で、ＵＥがＷ１の中のｂｉの量子化値を送信する場合、ネットワーク装置は、ＵＥからＷ１の中のｂｉの量子化値を受信する。
【００６０】
Ｓ２５０。ネットワーク装置は、Ｗ２の中のｉ番目の要素の量子化値により占有されるビットの数Ｎｉを決定する。
【００６１】
任意で、ＵＥが、Ｗ１の中のｂｉの量子化値を対応するプリコーディング行列インジケータ（PM  Indicator、ＰＭＩ）に追加し、プリコーディング行列インジケータをネットワーク装置にＣＳＩとしてフィードバック場合、方法は、ネットワーク装置により、Ｗ１の中のｂｉの量子化値により占有されるビットの数を決定するステップを更に含む。
【００６２】
任意で、Ｗ２の中の要素Ｘｉが複素数である場合、方法は、ｉ番目の要素の振幅の量子化値により占有されるビットの数Ｎｉ−ａｍｐ、及びｉ番目の要素の位相の量子化値により占有されるビットの数Ｎｉ−ｐｈａｓｅを別個に決定するステップを更に含む。このステップは、ステップＳ２２０と同様であり、詳細についてはステップＳ２２０を参照する。
【００６３】
Ｓ２６０。ネットワーク装置は、Ｎｉに基づき、受信したビットシーケンスからｉ番目の要素の量子化値を抽出する。
【００６４】
任意で、ＵＥが、Ｗ１の中のｂｉの量子化値を対応するプリコーディング行列インジケータ（PM  Indicator、ＰＭＩ）に追加し、プリコーディング行列インジケータをネットワーク装置にＣＳＩとしてフィードバックする場合、方法は、ネットワーク装置により、Ｗ１の中のｂｉの量子化値により占有されるビットの数に基づき、ｂｉの量子化値を抽出するステップを更に含む。
【００６５】
任意で、ネットワーク装置及びＵＥは、Ｗ２の中のｉ番目の要素の量子化値により占有されるビットを予め決定してよい。或いは、ネットワーク装置は、Ｗ１の中のｂｉの量子化値により占有されるビットに基づき、Ｗ２の中のｉ番目の要素の量子化値により占有されるビットを決定してよい。或いは、ＵＥは、Ｗ２の中のｉ番目の要素の量子化値により占有されるビットを通知する。ネットワーク装置は、ｉ番目の要素の量子化値により占有されるビットに基づき及びＮｉに基づき、受信したビットシーケンスからｉ番目の要素の量子化値を抽出する。
【００６６】
本発明の本実施形態では、ｉ番目の要素の量子化値により占有されるビットの数Ｎｉが決定され、Ｗ２の中の少なくとも２つの要素の量子化値は異なる数のビットを占有し、量子化精度が向上でき、さらにＣＳＩフィードバック精度が向上できるようにする。
【００６７】
本発明の第２実施形態は、別のＣＳＩフィードバック方法を提供する。第２実施形態と第１実施形態との間の差は、方法が、ＵＥにより、Ｗ２の中のＮ番目の要素に基づきＷ２に対して正規化処理を実行するステップを更に含むことにあり、ここで、Ｎは１以上且つＫ以下の整数である。Ｗ２の中のｉ番目の要素の量子化値により占有されるビットの数Ｎｉを決定するステップは、ｉ＝Ｎのとき、Ｎｉ＝０であることを含む。言い換えると、Ｎ番目の要素以外の（Ｋ−１）個の要素の量子化ビットの合計数は、Ｎｔｏｔａｌである。言い換えると、Ｎ番目の要素は量子化される必要がない。
【００６８】
任意で、Ｎの値は、ＵＥとネットワーク装置との間で予め合意された値である。言い換えると、ネットワーク装置及びＵＥは、予め、Ｗ２の中のｉ番目の要素の量子化の基準を知り、Ｎ番目の要素の量子化値は通知される必要がない。例えば、Ｎが１又はＫに等しい。言い換えると、Ｎ番目の要素はＷ２の中の最初又は最後の要素である。任意で、Ｗ２の中の要素に対応するコードブックＷ１のＰＭＩのシーケンスが予め決定される場合、コードブックＷ１のＰＭＩは、本発明の性能を向上するためにソートされる。例えば、ＵＥがコードブックＷ１のＰＭＩを選択するとき、コードブックＷ２の列ベクトルの要素の計算された理想振幅値は、降順又は昇順にソートされる。例えば、Ｎ番目の要素は、コードブックＷ２の中の各列の全ての要素に中の最大値に対応する要素である。
【００６９】
本発明の本実施形態で提供される第２ＣＳＩフィードバック方法では、Ｎの値は、ＵＥとネットワーク装置との間で予め合意された値であり、ＵＥはネットワーク装置にＮ番目の要素の量子化値を通知する必要がなく、Ｎ番目の要素以外の（Ｋ−１）個の要素の量子化ビット数の和はＮｔｏｔａｌであり、量子化精度が更に向上できるようにする。
【００７０】
本発明の第３実施形態は、別のＣＳＩフィードバック方法を提供する。第３実施形態の第２実施形態及び第１実施形態からの差は、Ｗ２の中のｉ番目の要素の量子化値により占有されるビットの数Ｎｉを決定するステップが、ｉ≠Ｎのとき、Ｎｉの値がｉ番目の要素の振幅値に正相関することを含むことにある。
【００７１】
任意で、ｉ≠Ｎのとき、
【数４】
2020504480.tif 000006
ρｉはｉ番目の要素の振幅値であり、
【数５】
2020504480.tif 000007
はｘ未満の最大整数を表し、ＮｔｏｔａｌはＷ２の中の全ての要素の量子化値により占有されるビットの数である。
【００７２】
任意で、Ｎｉ＝Ｎｂａｓｅ＋Ｎａｄｄ，ｉである。Ｎｂａｓｅは、ｉ番目の要素の量子化値により占有される基本ビット数であり、Ｎａｄｄ，ｉはｉ番目の要素の量子化値により占有される追加ビット数である。
【００７３】
任意で、Ｎａｄｄ，ｉは、割り当てが残りのビット数Ｎｒｅｓｔ＝Ｎｔｏｔａｌ−（Ｋ−１）Ｎｂａｓｅに基づき更に実行された後に、取得される。
【数６】
2020504480.tif 000008
【００７４】
【数７】
2020504480.tif 000009
はｘ未満の最大整数を表す。
【００７５】
第３実施形態では、Ｗ２の中のｉ番目の要素の量子化値により占有されるビット数Ｎｉは、ｉ番目の要素の振幅値に正相関して、量子化精度が更に向上できるようにする。
【００７６】
本発明の第４実施形態は、別のＣＳＩフィードバック方法を提供する。第４実施形態と前述の実施形態との間の差は、Ｘｉが複素数であり、振幅及び位相を含む場合に、ｉ≠Ｎのとき、方法がｉ番目の要素の振幅を量子化するステップを更に含むことにある。ｉ番目の要素の振幅を量子化するステップは、ｉ番目の要素の振幅を量子化するとき、ｉ番目の要素の差動振幅を量子化するステップを含む。ここで、ｉ番目の要素の差動振幅は、ｉ番目の要素の振幅値ρｉの（ｉ−１）番目の要素の振幅値ρｉ−１に対する比ρｉ／ρｉ−１である。
【００７７】
任意で、ρｉ／ρｉ−１を量子化するステップは、ｉ番目の要素の差動振幅、ρｉ／ρｉ−１を角度ドメインにマッピングして、ζｉを取得し、及びζｉを量子化するステップを含む。
【００７８】
ｉ番目の要素の振幅値が（ｉ−１）番目の要素の振幅値より小さいとき、差動振幅の範囲は（０，１）であり、ρｉ／ρｉ−１は量子化のために角度ドメインにマッピングされる。ｉ番目の要素の振幅値が（ｉ−１）番目の要素の振幅値より大きいとき、ｉ番目の要素の差動振幅の量子化値は１に設定される。例えば、次の通りである：
【数８】
2020504480.tif 000010
【００７９】
任意で、ｉ番目の要素の振幅の量子化値は次の通りである：
【数９】
2020504480.tif 000011
【００８０】
（ρｉ）ｑはＷ２の中のｉ番目の要素の振幅の量子化値を表し、（ρｉ／ρｉ−１）ｑはＷ２の中のｉ番目の要素の差動振幅の量子化値を表す。
【００８１】
任意で、Ｘｉは複素数であり、振幅及び位相を含み、ｉ≠Ｎのとき、方法は、多元位相偏移変調ＭＰＳＫを用いてｉ番目の要素の位相を量子化するステップを更に含む。任意で、ＭＰＳＫを用いてｉ番目の要素の位相を量子化するステップは、ｉ番目の要素の位相を量子化するために割り当てられるビット数がｂであるとき、量子化された位相が（ｊ／２ｂ）２πに属することを含み、ここでＪ＝０〜２ｂ−１である。
【００８２】
第４実施形態において、Ｗ２の中のｉ番目の要素の振幅が量子化されるとき、ｉ番目の要素の差動振幅が量子化され、ｉ番目の要素の差動振幅は、ｉ番目の要素の振幅値ρｉの（ｉ−１）番目の要素の振幅値ρｉ−１に対する比ρｉ／ρｉ−１である。要素の差動振幅が量子化されて、量子化範囲が縮小され、さらに、量子化精度が向上するようにする。
【００８３】
同じ技術的思想に基づき、本発明の一実施形態は、本発明の実施形態における方法を実行するよう構成されるユーザ機器３００を提供する。関連する内容については方法の記載を参照し、詳細はここで再び記載されない。ユーザ機器は、本発明の実施形態において提供されるネットワーク装置と通信できる。図３に示されるように：
【００８４】
ユーザ機器３００は、処理ユニット３０２及び送信ユニット３０３を含む。処理ユニットは、具体的にプロセッサであってよく、送信ユニットは、具体的に送信機であってよい。任意で、ユーザ機器は、受信ユニット３０１を更に含んでよい。受信ユニットは具体的に受信機であってよい。
【００８５】
処理ユニットは、各トランスポート層におけるＵＥのＣＳＩのコードブックを決定するよう構成される。各トランスポート層におけるＣＳＩのＵＥのコードブックの関連情報については、前述の記載を参照し、詳細はここで再び記載されない。
【００８６】
処理ユニットは、Ｗ２の中のｉ番目の要素の量子化値により占有されるビットの数Ｎｉを決定するよう更に構成される。ここで、Ｗ２の中の少なくとも２つの要素の量子化値は異なる数のビットを占有する。
【００８７】
送信ユニットは、Ｎｉに基づき、ｉ番目の要素の量子化値をネットワーク装置にフィードバックするよう構成される。
【００８８】
任意で、受信ユニットは、ネットワーク装置により送信されたパイロット情報を受信するよう構成され、処理ユニットは、受信ユニットにより受信されたパイロット情報に基づき、チャネル情報を決定し、及びチャネル情報に基づきＵＥのコードブックを決定するよう構成される。処理ユニットは、ＵＥのコードブックを量子化して、量子化値を取得するよう更に構成される。
【００８９】
任意で、処理ユニットは、Ｗ２の中のＮ番目の要素に基づき、Ｗ２に対して正規化処理を実行するよう更に構成され、ここで、Ｎは１以上且つＫ以下の整数であり、ｉ＝Ｎのとき、Ｎｉ＝０である。
【００９０】
任意で、ｉ≠Ｎのとき、Ｎｉの値はｉ番目の要素の振幅値に正相関する。
【００９１】
任意で、Ｎの値は、ＵＥとネットワーク装置との間で予め合意された値である。例えば、Ｎは１又はＫに等しい。
【００９２】
任意で、ｉ≠Ｎのとき、
【数１０】
2020504480.tif 000012
ここで、ρｉはｉ番目の要素の振幅値であり、
【数１１】
2020504480.tif 000013
はｘ未満の最大整数を表し、ＮｔｏｔａｌはＷ２の中の全ての要素の量子化値により占有されるビットの数である。
【００９３】
任意で、ｉ≠Ｎのとき、Ｎｉ＝Ｎｂａｓｅ＋Ｎａｄｄ，ｉであり、ここで、Ｎｂａｓｅはｉ番目の要素の量子化値により占有される基本ビット数であり、Ｎａｄｄ，ｉはｉ番目の要素の量子化値により占有される追加ビット数である。
【００９４】
任意で、Ｎａｄｄ，ｉは、割り当てが残りのビット数Ｎｒｅｓｔ＝Ｎｔｏｔａｌ−（Ｋ−１）Ｎｂａｓｅに基づき更に実行された後に、取得される。
【数１２】
2020504480.tif 000014
【００９５】
【数１３】
2020504480.tif 000015
はｘ未満の最大整数を表す。
【００９６】
任意で、Ｘｉは、複素数であり、振幅及び位相を含み、ｉ≠Ｎのとき、処理ユニットは、ｉ番目の要素の振幅を量子化するよう更に構成され、ｉ番目の要素の振幅を量子化するとき、処理ユニットは、ｉ番目の要素の差動振幅を量子化するよう構成され、ｉ番目の要素の差動振幅は、ｉ番目の要素の振幅値ρｉの（ｉ−１）番目の要素の振幅値ρｉ−１に対する比ρｉ／ρｉ−１である。
【００９７】
任意で、処理ユニットは、ｉ番目の要素の差動振幅、ρｉ／ρｉ−１を角度ドメインにマッピングして、ζｉを取得し、及びζｉを量子化するよう構成される。
【００９８】
任意で、ｉ番目の要素の振幅値が（ｉ−１）番目の要素の振幅値より小さいとき、差動振幅の範囲は（０，１）であり、処理ユニットは、ｉ番目の要素の差動振幅ρｉ／ρｉ−１を量子化のために角度ドメインにマッピングするよう構成され、或いは、ｉ番目の要素の振幅値が（ｉ−１）番目の要素の振幅値より大きいとき、処理ユニットは、ｉ番目の要素の振幅の量子化値を１に設定するよう構成される。例えば、次の通りである：
【数１４】
2020504480.tif 000016
【００９９】
任意で、Ｘｉは複素数であり、振幅及び位相を含み、ｉ≠Ｎのとき、処理ユニットは、多元位相偏移変調ＭＰＳＫを用いてｉ番目の要素の位相を量子化するよう構成される。
【０１００】
任意で、ｉ番目の要素の位相を量子化するために割り当てられたビット数がｂであるとき、量子化位相は（ｊ／２ｂ）２πに属し、ここで、ｊ＝０〜２ｂ−１である。
【０１０１】
任意で、ｉ≠Ｎのとき、処理ユニットは、ｉ番目の要素の振幅の量子化値により占有されるビットの数Ｎｉ−ａｍｐ、及びｉ番目の要素の位相の量子化値により占有されるビットの数Ｎｉ−ｐｈａｓｅを別個に決定するよう構成される。Ｎｉが閾より小さいとき、Ｎｉ−ｐｈａｓｅ＝Ｎｉであり、又は、Ｎｉが閾以上のとき、Ｎｉ−ａｍｐ及びＮｉ−ｐｈａｓｅは比に基づき決定され、Ｎｉ−ａｍｐ＋Ｎｉ−ｐｈａｓｅ＝Ｎｉである。
【０１０２】
任意で、
【数１５】
2020504480.tif 000017
及び、Ｎｉ−ａｍｐ＝Ｎｉ−Ｎｉ−ｐｈａｓｅ、ここで、０＜ω＜１、ωはＮｉ−ｐｈａｓｅのＮｔｏｔａｌに対する比である。
【０１０３】
本発明の本実施形態で提供されるユーザ機器は、Ｗ２の中のｉ番目の要素の量子化値により占有されるビットの数Ｎｉを決定し、Ｗ２の中の少なくとも２つの要素の量子化値は異なる数のビットを占有し、量子化精度が向上でき、さらにＣＳＩフィードバック精度が向上できるようにする。
【０１０４】
同じ技術的思想に基づき、本発明の一実施形態は、本発明の実施形態における方法を実行するよう構成されるネットワーク装置４００を提供する。関連する内容については方法の記載を参照し、詳細はここで再び記載されない。ネットワーク装置は、本発明の実施形態において提供されるユーザ機器と通信できる。図４に示されるように：
【０１０５】
ユーザ機器４００は、受信ユニット４０１と、処理ユニット４０２と、を含む。処理ユニットは、具体的にプロセッサであってよく、受信ユニットは、具体的に受信機であってよい。任意で、ユーザ機器は、送信ユニット４０３を更に含んでよい。送信ユニットは具体的に送信機であってよい。
【０１０６】
受信ユニットは、ユーザ機器ＵＥにより送信されたビットシーケンスを受信するよう構成される。ここで、ビットシーケンスは、各トランスポート層におけるＵＥのＣＳＩのコードブックの量子化値を含み、ＵＥの各トランスポート層におけるＣＳＩのコードブックの量子化値は、Ｗ２の中の要素Ｘｉの量子化値を含み、ビットシーケンスの中のＷ２の中の少なくとも２つの要素の量子化値は、異なる数のビットを占有する。ＵＥの各トランスポート層におけるＣＳＩのコードブックについては、前述の記載を参照し、詳細はここで再び記載されない。
【０１０７】
処理ユニットは、Ｗ２の中のｉ番目の要素の量子化値により占有されるビットの数Ｎｉを決定するよう構成され、並びに、Ｎｉに基づき、受信したビットシーケンスからｉ番目の要素の量子化値を抽出するよう構成される。
【０１０８】
任意で、処理ユニットは、決定した量子化値に基づき、ＵＥにより使用されるコードブックを決定し、コードブックに基づき、ＵＥへ送信される信号を符号化するよう更に構成される。送信ユニットは、符号化された信号をＵＥへ送信するよう構成される。任意で、送信ユニットは、ＵＥへパイロットを送信するよう構成され、ＵＥがチャネル推定を実行するようにする。
【０１０９】
任意で、Ｗ２の中のＮ番目の要素は、Ｗ２に対して正規化処理を実行するためにＵＥにより使用される基準であり、Ｎは１以上且つＫ以下の整数であり、ｉ＝Ｎのとき、Ｎｉ＝０である。
【０１１０】
任意で、ｉ≠Ｎのとき、Ｎｉの値はｉ番目の要素の振幅値に正相関する。
【０１１１】
任意で、Ｎの値は、ＵＥとネットワーク装置との間で予め合意された値である。例えば、Ｎは１又はＫに等しい。
【０１１２】
任意で、ｉ≠Ｎのとき、
【数１６】
2020504480.tif 000018
ここで、ρｉはｉ番目の要素の振幅値であり、
【数１７】
2020504480.tif 000019
はｘ未満の最大整数を表し、ＮｔｏｔａｌはＷ２の中の全ての要素の量子化値により占有されるビットの数である。
【０１１３】
任意で、ｉ≠Ｎのとき、Ｎｉ＝Ｎｂａｓｅ＋Ｎａｄｄ，ｉであり、ここで、Ｎｂａｓｅはｉ番目の要素の量子化値により占有される基本ビット数であり、Ｎａｄｄ，ｉはｉ番目の要素の量子化値により占有される追加ビット数である。
【０１１４】
任意で、Ｎａｄｄ，ｉは、割り当てが残りのビット数Ｎｒｅｓｔ＝Ｎｔｏｔａｌ−（Ｋ−１）Ｎｂａｓｅに基づき更に実行された後に、取得される。
【数１８】
2020504480.tif 000020
【０１１５】
【数１９】
2020504480.tif 000021
はｘ未満の最大整数を表す。
【０１１６】
任意で、Ｘｉは、複素数であり、振幅及び位相を含み、ｉ≠Ｎのとき、処理ユニットは、ｉ番目の要素の振幅の量子化値により占有されるビットの数Ｎｉ−ａｍｐ及びｉ番目の要素の位相の量子化値により占有されるビットの数Ｎｉ−ｐｈａｓｅを別個に決定するよう構成される。ｉ番目の要素の振幅の量子化値は、ｉ番目の要素の差動振幅である。ｉ番目の要素の差動振幅は、ｉ番目の要素の振幅値ρｉの（ｉ−１）番目の要素の振幅値ρｉ−１に対する比ρｉ／ρｉ−１である。
【０１１７】
任意で、Ｎｉが閾より小さいとき、Ｎｉ−ｐｈａｓｅ＝Ｎｉであり、又は、Ｎｉが閾以上のとき、Ｎｉ−ａｍｐ及びＮｉ−ｐｈａｓｅは比に基づき決定され、Ｎｉ−ａｍｐ＋Ｎｉ−ｐｈａｓｅ＝Ｎｉである。
【０１１８】
任意で、
【数２０】
2020504480.tif 000022
及び、Ｎｉ−ａｍｐ＝Ｎｉ−Ｎｉ−ｐｈａｓｅ、ここで、０＜ω＜１、ωはＮｉ−ｐｈａｓｅのＮｔｏｔａｌに対する比である。
【０１１９】
任意で、ｉ番目の要素の振幅の量子化値は次の通りである：
【数２１】
2020504480.tif 000023
【０１２０】
（ρｉ）ｑはＷ２の中のｉ番目の要素の振幅の量子化値を表し、（ρｉ／ρｉ−１）ｑはＷ２の中のｉ番目の要素の差動振幅の量子化値を表す。
【０１２１】
本発明の本実施形態で提供されるネットワーク装置は、Ｗ２の中のｉ番目の要素の量子化値により占有されるビットの数Ｎｉを決定し、Ｗ２の中の少なくとも２つの要素の量子化値は異なる数のビットを占有し、量子化精度が向上でき、さらにＣＳＩフィードバック精度が向上できるようにする。
【０１２２】
本発明の一実施形態は、本発明の実施形態で提供されるユーザ機器及びネットワーク装置を含む通信システムを提供する。
【０１２３】
同じ技術的思想に基づき、本発明の一実施形態は、本発明の実施形態における方法を実行するよう構成されるユーザ機器５００を提供する。関連する内容については方法の記載を参照し、詳細はここで再び記載されない。図５は、本発明の一実施形態によるユーザ機器５００のハードウェア構造の概略図である。図５に示されるように、ユーザ機器５００は、プロセッサ５０２、トランシーバ５０４、複数のアンテナ５０６、メモリ５０８、Ｉ／Ｏ（入力／出力、Input/Output）インタフェース５１０、及びバス５１２を含む。トランシーバ５０４は、送信機５０４２及び受信機５０４４を更に含む。メモリ５０８は、命令５０８２及びデータ５０８４を格納するよう更に構成される。さらに、プロセッサ５０２、トランシーバ５０４、メモリ５０８、及びＩ／Ｏインタフェース５１０は、バス５１２を用いて互いに通信し及び接続され、複数のアンテナ５０６はトランシーバ５０４に接続される。
【０１２４】
プロセッサ５０２は、汎用プロセッサであってよく、例えば限定ではないが、中央処理ユニット（Central  Processing  Unit、ＣＰＵ）を含み、又は専用プロセッサであってよく、例えば限定ではないがデジタル信号プロセッサ（Digital  Signal  Processor、ＤＳＰ）、特定用途向け集積回路（Application-Specific  Integrated  Circuit、ＡＳＩＣ）、フィールドプログラマブルゲートアレイ（Field  Programmable  Gate  Array、ＦＰＧＡ）を含む。さらに、プロセッサ５０２は、代替として、複数のプロセッサの組み合わせであってよい。プロセッサ５０２は、本発明の実施形態で提供されるＣＳＩフィードバック方法を実行するよう構成される。プロセッサ５０２は、前述の動作及び／又はステップを実行するために専用のプロセッサであってよい。或いは、プロセッサは、前述の動作及び／又はステップを実行するためにメモリ５０８に格納された命令５０８２を読み出し実行してよい。プロセッサ５０２は、前述の動作及び／又はステップを実行する処理の間に、データ５０８４を使用する必要があってよい。
【０１２５】
トランシーバ５０４は、送信機５０４２及び受信機５０４４を含む。送信機５０４２は、複数のアンテナ５０６のうちの少なくとも１つを用いて、ネットワーク装置へアップリンク信号を送信するよう構成される。受信機５０４４は、複数のアンテナ５０６のうちの少なくとも１つを用いて、ネットワーク装置からダウンリンク信号を受信するよう構成される。送信機５０４２は、具体的に、複数のアンテナ５０６のうちの少なくとも１つを用いて動作を実行するよう構成され、受信機５０４４は、具体的に、複数のアンテナ５０６のうちの少なくとも１つを用いて動作を実行するよう構成される。
【０１２６】
メモリ５０８は、様々な種類の記憶媒体、例えば、ランダムアクセスメモリ（Random  Access  Memory、ＲＡＭ）、読み出し専用メモリ（Read-Only  Memory、ＲＯＭ）、不揮発性ランダムアクセスメモリ（Non-Volatile  Random  Access  Memory、ＮＶＲＡＭ）、プログラマブル読み出し専用メモリ（Programmable  Read-Only  Memory、ＰＲＯＭ）、消去可能プログラマブル読み出し専用メモリ（Erasable  Programmable  Read-Only  Memory、ＥＰＲＯＭ）、電気的消去可能ＰＲＯＭ（Electrically  Erasable  PROM、ＥＥＰＲＯＭ）、フラッシュメモリ、光メモリ、及びレジスタであってよい。メモリ５０８は、命令５０８２及びデータ５０８４を格納するよう具体的に構成される。プロセッサ５０２は、前述の動作及び／又はステップを実行するためにメモリ５０８に格納された命令５０８２を読み出し実行してよく、前述の動作及び／又はステップを実行する処理の間にデータ５０８４を使用する必要があってよい。
【０１２７】
Ｉ／Ｏインタフェース５１０は、周辺装置から命令及び／又はデータを受信し、周辺装置へ命令及び／又はデータを送信するよう構成される。
【０１２８】
留意すべきことに、特定の実装処理中、ユーザ機器５００は、別のハードウェアコンポーネントを更に含んでよく、ここでは列挙は提供されない。
【０１２９】
同じ技術的思想に基づき、本発明の一実施形態は、本発明の実施形態における方法を実行するよう構成されるネットワーク装置６００を提供する。関連する内容については方法の記載を参照し、詳細はここで再び記載されない。図６は、本発明の一実施形態によるネットワーク装置６００のハードウェア構造の概略図である。図６に示されるように、ネットワーク装置６００は、プロセッサ６０２、トランシーバ６０４、複数のアンテナ６０６、メモリ６０８、Ｉ／Ｏ（入力／出力、Input/Output）インタフェース６１０、及びバス６１２を含む。トランシーバ６０４は、送信機６０４２及び受信機６０４４を更に含む。メモリ６０８は、命令６０８２及びデータ６０８４を格納するよう更に構成される。さらに、プロセッサ６０２、トランシーバ６０４、メモリ６０８、及びＩ／Ｏインタフェース６１０は、バス６１２を用いて互いに通信し及び接続され、複数のアンテナ６０６はトランシーバ６０４に接続される。
【０１３０】
プロセッサ６０２は、汎用プロセッサであってよく、例えば限定ではないが、ＣＰＵを含み、或いは、専用プロセッサであってよく、例えば限定ではないが、ＤＳＰ、ＡＳＩＣ、及びＦＰＧＡを含む。さらに、プロセッサ６０２は、代替として、複数のプロセッサの組み合わせであってよい。プロセッサ６０２は、本発明の本実施形態における方法を実行するよう構成される。プロセッサ６０２は、前述の動作及び／又はステップを実行するために専用のプロセッサであってよい。或いは、プロセッサは、前述の動作及び／又はステップを実行するためにメモリ６０８に格納された命令６０８２を読み出し実行してよい。プロセッサ６０２は、前述の動作及び／又はステップを実行する処理の間に、データ６０８４を使用する必要があってよい。
【０１３１】
トランシーバ６０４は、送信機６０４２及び受信機６０４４を含む。送信機６０４２は、複数のアンテナ６０６のうちの少なくとも１つを用いて、ユーザ機器へダウンリンク信号を送信するよう構成される。受信機６０４４は、複数のアンテナ６０６のうちの少なくとも１つを用いて、ユーザ機器からアップリンク信号を受信するよう構成される。送信機６０４２は、具体的に、複数のアンテナ６０６のうちの少なくとも１つを用いて動作を実行するよう構成され、受信機６０４４は、具体的に、複数のアンテナ６０６のうちの少なくとも１つを用いて動作を実行するよう構成される。
【０１３２】
メモリ６０８は、様々な種類の記憶媒体、例えばＲＡＭ、ＲＯＭ、ＮＶＲＡＭ、ＰＲＯＭ、ＥＰＲＯＭ、ＥＥＰＲＯＭ、フラッシュメモリ、光メモリ、及びレジスタであってよい。メモリ６０８は、命令６０８２及びデータ６０８４を格納するよう具体的に構成される。プロセッサ６０２は、前述の動作及び／又はステップを実行するために、メモリ６０８に格納された命令６０８２を読み出し実行してよい。プロセッサは、前述の動作及び／又はステップを実行する処理の間に、データ６０８４を使用する必要があってよい。
【０１３３】
Ｉ／Ｏインタフェース６１０は、周辺装置から命令及び／又はデータを受信し、周辺装置へ命令及び／又はデータを送信するよう構成される。
【０１３４】
留意すべきことに、特定の実装処理中、ネットワーク装置６００は、別のハードウェアコンポーネントを更に含んでよく、ここでは列挙は提供されない。
【０１３５】
当業者は、前述の方法のステップの全部又は一部が関連するハードウェアに指示するプログラムにより実装されてよいことを理解し得る。プログラムは、コンピュータ可読記憶媒体に格納されてよい。記憶媒体は、ＲＯＭ、ＲＡＭ、及び光ディスクを含む。
【０１３６】
纏めると、前述の説明は本発明の実施形態の単なる例であり、本発明の保護範囲を限定するものではない。本発明の精神及び原理から逸脱することなく行われるいかなる変更、等価置換、又は改良は、本発明の保護範囲に含まれるべきである。
【図１】
2020504480.tif 000036
【図２】
2020504480.tif 000037
【図３】
2020504480.tif 000038
【図４】
2020504480.tif 000039
【図５】
2020504480.tif 000040
【図６】
2020504480.tif 000041
【手続補正書】
【提出日】令和1年7月3日(2019.7.3)
【手続補正１】
【補正対象書類名】特許請求の範囲
【補正対象項目名】全文
【補正方法】変更
【補正の内容】
【特許請求の範囲】
【請求項１】
チャネル状態情報（ＣＳＩ）フィードバック方法であって、
ユーザ機器（ＵＥ）により、前記ＵＥの各トランスポート層におけるＣＳＩのコードブックを決定するステップであって、前記ＵＥの各トランスポート層における前記ＣＳＩの前記コードブックは、
Ｗ＝Ｗ１×Ｗ２であり、
Ｗは前記ＵＥの各トランスポート層における前記ＣＳＩの前記コードブックであり、Ｗ１はレベル１コードブックであり、Ｗ１＝［ｂ１  ｂ２  ・・・  ｂＫ］、Ｗ１の中のｂｉはコードワードを表し、ＫはＷ１の列の数であり、Ｋは１以上の正整数であり、Ｗ２はレベル２コードブックであり、Ｗ２はＷ２＝［Ｘ１  Ｘ２  ・・・  ＸＫ］Ｔと表され、Ｗ２の中の要素ＸｉはＷ１の中のｂｉに対応する重み係数であり、ｉは１以上且つＫ以下の整数である、ステップと、
前記ＵＥにより、Ｗ２の中のｉ番目の要素の量子化値により占有されるビットの数Ｎｉを決定するステップであって、Ｗ２の中の少なくとも２つの要素の量子化値は異なる数のビットを占有する、ステップと、
前記ＵＥにより、Ｎｉに基づき、前記ｉ番目の要素の前記量子化値をネットワーク装置にフィードバックするステップと、
を含む方法。
【請求項２】
Ｗ２の中のＮ番目の要素に基づき、Ｗ２に対して正規化処理を実行するステップであって、Ｎは１以上且つＫ以下の整数である、ステップ、を更に含み、
Ｗ２の中のｉ番目の要素の量子化値により占有されるビットの数Ｎｉを決定する前記ステップは、
ｉ＝Ｎのとき、Ｎｉ＝０であると決定するステップを含む、請求項１に記載の方法。
【請求項３】
Ｗ２の中のｉ番目の要素の量子化値により占有されるビットの数Ｎｉを決定する前記ステップは、
ｉ≠Ｎのとき、Ｎｉの値は前記ｉ番目の要素の振幅値に正相関することを含む、請求項２に記載の方法。
【請求項４】
Ｎの値は、前記ＵＥと前記ネットワーク装置との間で予め合意された値である、請求項２又は３に記載の方法。
【請求項５】
ｉ≠Ｎのとき、Ｎｉ＝Ｎｂａｓｅ＋Ｎａｄｄ，ｉであり、
Ｎｂａｓｅは、前記ｉ番目の要素の前記量子化値により占有されるビットの基本数であり、Ｎａｄｄ，ｉは前記ｉ番目の要素の前記量子化値により占有される追加ビット数である、請求項２乃至４のいずれか一項に記載の方法。
【請求項６】
チャネル状態情報（ＣＳＩ）受信方法であって、
ネットワーク装置により、ユーザ機器（ＵＥ）により送信されたビットシーケンスを受信するステップであって、前記ビットシーケンスは、各トランスポート層における前記ＵＥのＣＳＩのコードブックの量子化値を含み、前記ＵＥの各トランスポート層における前記ＣＳＩの前記コードブックは、
Ｗ＝Ｗ１×Ｗ２、であり、
Ｗは前記ＵＥの各トランスポート層における前記ＣＳＩの前記コードブックであり、Ｗ１はレベル１コードブックであり、Ｗ１＝［ｂ１  ｂ２  ・・・  ｂＫ］、Ｗ１の中のｂｉはコードワードを表し、ＫはＷ１の列の数であり、Ｋは１以上の正整数であり、Ｗ２はレベル２コードブックであり、Ｗ２はＷ２＝［Ｘ１  Ｘ２  ・・・  ＸＫ］Ｔと表され、Ｗ２の中の要素ＸｉはＷ１の中のｂｉに対応する重み係数であり、ｉは１以上且つＫ以下の整数であり、前記ＵＥの各トランスポート層における前記ＣＳＩの前記コードブックの前記量子化値は、Ｗ２の中の前記要素Ｘｉの量子化値を含み、前記ビットシーケンスの中のＷ２の中の少なくとも２つの要素の量子化値は異なる数のビットを占有する、ステップと、
前記ネットワーク装置により、Ｗ２の中のｉ番目の要素の量子化値により占有されるビットの数Ｎｉを決定するステップと、
前記ネットワーク装置により、Ｎｉに基づき、前記の受信したビットシーケンスから前記ｉ番目の要素の前記量子化値を抽出するステップと、
を含む方法。
【請求項７】
Ｗ２の中のＮ番目の要素は、Ｗ２に対して正規化処理を実行するために前記ＵＥにより使用される基準であり、Ｎは１以上且つＫ以下の整数であり、
Ｗ２の中のｉ番目の要素の量子化値により占有されるビットの数Ｎｉを決定する前記ステップは、
ｉ＝Ｎのとき、Ｎｉ＝０であると決定するステップを含み、
Ｗ２の中の前記Ｎ番目の要素以外の（Ｋ−１）個の要素の量子化値により占有されるビットの数の和は、Ｗ２の全ての量子化値により占有されるビットの数Ｎｔｏｔａｌである、請求項６に記載の方法。
【請求項８】
Ｗ２の中のｉ番目の要素の量子化値により占有されるビットの数Ｎｉを決定する前記ステップは、
ｉ≠Ｎのとき、Ｎｉの値は前記ｉ番目の要素の振幅値に正相関することを含む、請求項７に記載の方法。
【請求項９】
Ｎの値は、前記ＵＥと前記ネットワーク装置との間で予め合意された値である、請求項７又は８に記載の方法。
【請求項１０】
ｉ≠Ｎのとき、Ｎｉ＝Ｎｂａｓｅ＋Ｎａｄｄ，ｉであり、
Ｎｂａｓｅは、前記ｉ番目の要素の前記量子化値により占有されるビットの基本数であり、Ｎａｄｄ，ｉは前記ｉ番目の要素の前記量子化値により占有される追加ビット数である、請求項７乃至９のいずれか一項に記載の方法。
【請求項１１】
ユーザ機器（ＵＥ）であって、
各トランスポート層における前記ＵＥのチャネル状態情報（ＣＳＩ）のコードブックを決定するよう構成される処理ユニットであって、前記ＵＥの各トランスポート層における前記ＣＳＩの前記コードブックは、
Ｗ＝Ｗ１×Ｗ２であり、
Ｗは前記ＵＥの各トランスポート層における前記ＣＳＩの前記コードブックであり、Ｗ１はレベル１コードブックであり、Ｗ１＝［ｂ１  ｂ２  ・・・  ｂＫ］、Ｗ１の中のｂｉはコードワードを表し、ＫはＷ１の列の数であり、Ｋは１以上の正整数であり、Ｗ２はレベル２コードブックであり、Ｗ２はＷ２＝［Ｘ１  Ｘ２  ・・・  ＸＫ］Ｔと表され、Ｗ２の中の要素ＸｉはＷ１の中のｂｉに対応する重み係数であり、ｉは１以上且つＫ以下の整数であり、前記処理ユニットは、Ｗ２の中のｉ番目の要素の量子化値により占有されるビットの数Ｎｉを決定するよう更に構成され、Ｗ２の少なくとも２つの要素の量子化値は異なる数のビットを占有する、処理ユニットと、
Ｎｉに基づき、前記ｉ番目の要素の前記量子化値をネットワーク装置にフィードバックするよう構成される送信ユニットと、
を含む機器。
【請求項１２】
前記処理ユニットは、Ｗ２の中のＮ番目の要素に基づき、Ｗ２に対して正規化処理を実行するよう更に構成され、Ｎは１以上且つＫ以下の整数であり、ｉ＝Ｎのとき、Ｎｉ＝０である、請求項１１に記載の機器。
【請求項１３】
ｉ≠Ｎのとき、Ｎｉの値は前記ｉ番目の要素の振幅値に正相関する、請求項１２に記載の機器。
【請求項１４】
Ｎの値は、前記ＵＥと前記ネットワーク装置との間で予め合意された値である、請求項１１又は１２に記載の機器。
【請求項１５】
ｉ≠Ｎのとき、Ｎｉ＝Ｎｂａｓｅ＋Ｎａｄｄ，ｉであり、
Ｎｂａｓｅは、前記ｉ番目の要素の前記量子化値により占有されるビットの基本数であり、Ｎａｄｄ，ｉは前記ｉ番目の要素の前記量子化値により占有される追加ビット数である、請求項１２乃至１４のいずれか一項に記載の機器。
【請求項１６】
ネットワーク装置であって、
ユーザ機器（ＵＥ）により送信されたビットシーケンスを受信するよう構成される受信ユニットであって、前記ビットシーケンスは各トランスポート層における前記ＵＥのチャネル状態情報（ＣＳＩ）のコードブックの量子化値を含み、前記ＵＥの各トランスポート層における前記ＣＳＩの前記コードブックは、
Ｗ＝Ｗ１×Ｗ２であり、
Ｗは前記ＵＥの各トランスポート層における前記ＣＳＩの前記コードブックであり、Ｗ１はレベル１コードブックであり、Ｗ１＝［ｂ１  ｂ２  ・・・  ｂＫ］、Ｗ１の中のｂｉはコードワードを表し、ＫはＷ１の列の数であり、Ｋは１以上の正整数であり、Ｗ２はレベル２コードブックであり、Ｗ２はＷ２＝［Ｘ１  Ｘ２  ・・・  ＸＫ］Ｔと表され、Ｗ２の中の要素ＸｉはＷ１の中のｂｉに対応する重み係数であり、ｉは１以上且つＫ以下の整数であり、前記ＵＥの各トランスポート層における前記ＣＳＩの前記コードブックの前記量子化値は、Ｗ２の中の前記要素Ｘｉの量子化値を含み、前記ビットシーケンスの中のＷ２の中の少なくとも２つの要素の量子化値は異なる数のビットを占有する、受信ユニットと、
Ｗ２の中のｉ番目の要素の量子化値により占有されるビットの数Ｎｉを決定するよう構成され、及びＮｉに基づき、前記の受信したビットシーケンスから前記ｉ番目の要素の前記量子化値を抽出するよう構成される、処理ユニットと、
を含む装置。
【請求項１７】
Ｗ２の中のＮ番目の要素は、Ｗ２に対して正規化処理を実行するために前記ＵＥにより使用される基準であり、Ｎは１以上且つＫ以下の整数であり、ｉ＝Ｎのとき、Ｎｉ＝０である、請求項１６に記載の装置。
【請求項１８】
ｉ≠Ｎのとき、Ｎｉの値は前記ｉ番目の要素の振幅値に正相関する、請求項１７に記載の装置。
【請求項１９】
Ｎの値は、前記ＵＥと前記ネットワーク装置との間で予め合意された値である、請求項１７又は１８に記載の装置。
【請求項２０】
ｉ≠Ｎのとき、Ｎｉ＝Ｎｂａｓｅ＋Ｎａｄｄ，ｉであり、
Ｎｂａｓｅは、前記ｉ番目の要素の前記量子化値により占有されるビットの基本数であり、Ｎａｄｄ，ｉは前記ｉ番目の要素の前記量子化値により占有される追加ビット数である、請求項１７乃至１９のいずれか一項に記載の装置。
【請求項２１】
ユーザ機器ＵＥであって、
メモリ及びプロセッサを含み、
前記メモリは、命令を格納するよう構成され、
前記プロセッサは、前記命令を実行するよう構成され、前記命令が実行されると、請求項１乃至５のいずれか一項に記載の方法が実行される、ユーザ機器ＵＥ。
【請求項２２】
ネットワーク装置であって、
メモリ及びプロセッサを含み、
前記メモリは、命令を格納するよう構成され、
前記プロセッサは、前記命令を実行するよう構成され、前記命令が実行されると、請求項６乃至１０のいずれか一項に記載の方法が実行される、ネットワーク装置。
【請求項２３】
プログラムを格納するコンピュータ可読記憶媒体であって、前記プログラムは請求項１乃至５のいずれか一項に記載の方法を実行するために使用される、コンピュータ可読記憶媒体。
【請求項２４】
プログラムを格納するコンピュータ可読記憶媒体であって、前記プログラムは請求項６乃至１０のいずれか一項に記載の方法を実行するために使用される、コンピュータ可読記憶媒体。
【手続補正２】
【補正対象書類名】明細書
【補正対象項目名】００１０
【補正方法】変更
【補正の内容】
【００１０】
本発明の第４の態様は、ネットワーク装置であって、
ユーザ機器により送信されたビットシーケンスを受信するよう構成される受信ユニットであって、前記ビットシーケンスは各トランスポート層における前記ＵＥのＣＳＩのコードブックの量子化値を含み、前記ＵＥの各トランスポート層における前記ＣＳＩの前記コードブックは、
Ｗ＝Ｗ１×Ｗ２であり、
Ｗは前記ＵＥの各トランスポート層における前記ＣＳＩの前記コードブックであり、Ｗ１はレベル１コードブックであり、Ｗ１＝［ｂ１  ｂ２  ・・・  ｂＫ］、ｂｉはコードワードを表し、ＫはＷ１の列の数であり、Ｋは１以上の正整数であり、Ｗ２はレベル２コードブックであり、Ｗ２はＷ２＝［Ｘ１  Ｘ２  ・・・  ＸＫ］Ｔとして表され、Ｗ２の中の要素ＸｉはＷ１の中の各コードワードに対応する重み係数であり、ｉは１以上且つＫ以下の整数であり、前記ＵＥの各トランスポート層における前記ＣＳＩの前記コードブックの前記量子化値は、Ｗ２の中の要素Ｘｉの量子化値を含み、前記ビットシーケンスの中のＷ２の中の少なくとも２つの要素の量子化値は異なる数のビットを占有する、受信ユニットと、
Ｗ２の中のｉ番目の要素の量子化値により占有されるビットの数Ｎｉを決定するよう構成され、及び、Ｎｉに基づき、前記受信したビットシーケンスから前記ｉ番目の要素の前記量子化値を抽出するよう構成される処理ユニットと、を含むネットワーク装置を提供する。
【手続補正３】
【補正対象書類名】明細書
【補正対象項目名】００４０
【補正方法】変更
【補正の内容】
【００４０】
図２は、本発明の第１実施形態によるチャネル状態情報ＣＳＩフィードバック方法２００の概略フローチャートである。方法は、図１に示す通信システムに適用可能であってよい。
【手続補正４】
【補正対象書類名】明細書
【補正対象項目名】００６８
【補正方法】変更
【補正の内容】
【００６８】
任意で、Ｎの値は、ＵＥとネットワーク装置との間で予め合意された値である。言い換えると、ネットワーク装置及びＵＥは、予め、Ｗ２の中のｉ番目の要素の量子化の基準を知り、Ｎ番目の要素の量子化値は通知される必要がない。例えば、Ｎが１又はＫに等しい。言い換えると、Ｎ番目の要素はＷ２の中の最初又は最後の要素である。任意で、Ｗ２の中の要素に対応するコードブックＷ１のＰＭＩのシーケンスが予め決定される場合、コードブックＷ１のＰＭＩは、本発明の性能を向上するためにソートされる。例えば、ＵＥがコードブックＷ１のＰＭＩを選択するとき、コードブックＷ２の列ベクトルの要素の計算された理想振幅値は、降順又は昇順にソートされる。例えば、Ｎ番目の要素は、コードブックＷ２の中の各列の全ての要素に中の最大値に対応する要素である。
【手続補正５】
【補正対象書類名】明細書
【補正対象項目名】０１０５
【補正方法】変更
【補正の内容】
【０１０５】
ネットワーク装置４００は、受信ユニット４０１と、処理ユニット４０２と、を含む。処理ユニットは、具体的にプロセッサであってよく、受信ユニットは、具体的に受信機であってよい。任意で、ネットワーク装置は、送信ユニット４０３を更に含んでよい。送信ユニットは具体的に送信機であってよい。
【国際調査報告】
2020504480.tif 000042
2020504480.tif 000043
2020504480.tif 000044
2020504480.tif 000045
2020504480.tif 000046
2020504480.tif 000047
2020504480.tif 000048